(57)【特許請求の範囲】
【請求項１】
車載インフォテインメントとデータを交換するための方法であって、前記方法は、サーバに適用され、
モバイル端末のログインが検出された場合に、オンラインであるｍ個の車載インフォテインメントの識別情報を前記モバイル端末に送信する段階であって、オンラインである前記ｍ個の車載インフォテインメントは、前記モバイル端末に結び付けられ、ｍは、１より大きい又はこれに等しい整数である、段階と、
前記モバイル端末によって送信された制御コマンドを受信する段階であって、前記制御コマンドは、アプリケーションを実行するようにｋ個の車載インフォテインメントを制御するために用いられ、前記ｋ個の車載インフォテインメントは、受信されたユーザ操作に従って、前記ｍ個の車載インフォテインメントの前記識別情報から前記モバイル端末によって決定された、対応するｋ個の車載インフォテインメントであり、ｋは、ｍより小さい又はこれに等しく、ｋは、１より大きい又はこれに等しい整数である、段階と、
前記制御コマンドを前記ｋ個の車載インフォテインメントに送信する段階と、
を備え、
モバイル端末のログインが検出された場合に、オンラインであるｍ個の車載インフォテインメントの識別情報を前記モバイル端末に送信する前記段階の前に、
前記モバイル端末によって送信された結び付け命令を受信する段階であって、前記結び付け命令は、前記モバイル端末の識別情報及びｎ個の車載インフォテインメントの識別情報を保持し、前記結び付け命令は、前記モバイル端末を前記ｎ個の車載インフォテインメントに結び付けるよう前記サーバに命令するために用いられ、ｎは、ｍより大きい又はこれに等しく、ｎは、１より大きい又はこれに等しい整数である、段階
をさらに備える方法。
【請求項２】
モバイル端末のログインが検出された場合に、オンラインであるｍ個の車載インフォテインメントの識別情報を前記モバイル端末に送信する前記段階の前に、
前記ｎ個の車載インフォテインメントの前記識別情報に従って、結び付け確認要求を前記ｎ個の車載インフォテインメントに別個に送信する段階であって、前記結び付け確認要求は、前記ｎ個の車載インフォテインメントが前記モバイル端末に結び付けられるか否かを確認するために用いられる、段階と、
前記ｎ個の車載インフォテインメントによって送信された結び付け確認応答を受信する段階であって、前記ｎ個の車載インフォテインメントによって送信された前記結び付け確認応答は、前記結び付け確認要求に従って、前記ｎ個の車載インフォテインメントが前記モバイル端末に結び付けられるか否かを確認するための応答である、段階と、
前記ｎ個の車載インフォテインメントによって送信された前記結び付け確認応答に従って、前記モバイル端末を前記ｍ個の車載インフォテインメントに結び付ける段階であって、前記ｍ個の車載インフォテインメントによって送信された前記結び付け確認応答は、前記ｍ個の車載インフォテインメントが前記モバイル端末に結び付けられたことを確認するための応答である、段階と、
をさらに備える、請求項１に記載の方法。
【請求項３】
前記制御コマンドを前記ｋ個の車載インフォテインメントに送信する前記段階の後で、
前記ｋ個の車載インフォテインメントが前記制御コマンドを実行した後で送信された実行結果情報を受信する段階と、
前記実行結果情報を前記モバイル端末に送信する段階と、
をさらに備える、請求項１又は２に記載の方法。
【請求項４】
車載インフォテインメントとデータを交換するための方法であって、前記方法は、モバイル端末に適用され、
サーバにログインする段階と、
前記サーバがログインされた後で、前記サーバによって送信されたｍ個の車載インフォテインメントの識別情報を受信する段階であって、前記ｍ個の車載インフォテインメントは、前記モバイル端末に結び付けられ、ｍは、１より大きい又はこれに等しい整数である、段階と、
ユーザ操作を受信する段階であって、前記ユーザ操作は、前記ｍ個の車載インフォテインメントの前記識別情報から、対応するｋ個の車載インフォテインメントを決定するために用いられる、段階と、
を備え、
サーバにログインする前記段階の後で、
結び付け命令を前記サーバに送信する段階であって、前記結び付け命令は、前記モバイル端末の識別情報及びｎ個の車載インフォテインメントの識別情報を保持し、前記結び付け命令は、前記モバイル端末を前記ｎ個の車載インフォテインメントに結び付けるよう前記サーバに命令するために用いられ、ｎは、ｍより大きい又はこれに等しく、ｎは、１より大きい又はこれに等しい整数である、段階
をさらに備える方法。
【請求項５】
前記方法は、前記サーバによって送信された結び付け完了通知を受信する段階であって、前記結び付け完了通知は、前記サーバが前記モバイル端末を前記ｍ個の車載インフォテインメントに結び付けた後で送信される、段階をさらに備える、請求項４に記載の方法。
【請求項６】
前記方法は、
前記サーバによって送信された実行結果情報であって、前記ｋ個の車載インフォテインメントが制御コマンドを実行した後で送信された実行結果情報を受信する段階
をさらに備える、請求項４又は５に記載の方法。
【請求項７】
プロセッサ及び送受信機を備えるサーバであって、
前記プロセッサは、モバイル端末のログインを検出し、
前記送受信機は、
前記プロセッサが前記モバイル端末の前記ログインを検出した場合に、オンラインであるｍ個の車載インフォテインメントの識別情報を前記モバイル端末に送信することであって、オンラインである前記ｍ個の車載インフォテインメントは、前記モバイル端末に結び付けられ、ｍは、１より大きい又はこれに等しい整数である、ことと、
前記モバイル端末によって送信された制御コマンドを受信することであって、前記制御コマンドは、アプリケーションを実行するようにｋ個の車載インフォテインメントを制御するために用いられ、前記ｋ個の車載インフォテインメントは、受信されたユーザ操作に従って、前記ｍ個の車載インフォテインメントの前記識別情報から前記モバイル端末によって決定された、対応するｋ個の車載インフォテインメントであり、ｋは、ｍより小さい又はこれに等しく、ｋは、１より大きい又はこれに等しい整数である、ことと、
前記制御コマンドを前記ｋ個の車載インフォテインメントに送信することと、
を実行し、
前記送受信機は、さらに、
前記モバイル端末によって送信された結び付け命令を受信することであって、前記結び付け命令は、前記モバイル端末の識別情報及びｎ個の車載インフォテインメントの識別情報を保持し、前記結び付け命令は、前記モバイル端末を前記ｎ個の車載インフォテインメントに結び付けるよう前記サーバに命令するために用いられ、ｎは、ｍより大きい又はこれに等しく、ｎは、１より大きい又はこれに等しい整数である、こと
を実行する、
サーバ。
【請求項８】
前記送受信機は、さらに、
前記ｎ個の車載インフォテインメントの前記識別情報に従って、結び付け確認要求を前記ｎ個の車載インフォテインメントに別個に送信することであって、前記結び付け確認要求は、前記ｎ個の車載インフォテインメントが前記モバイル端末に結び付けられるか否かを確認するために用いられる、ことと、
前記ｎ個の車載インフォテインメントによって送信された結び付け確認応答を受信することであって、前記ｎ個の車載インフォテインメントによって送信された前記結び付け確認応答は、前記結び付け確認要求に従って、前記ｎ個の車載インフォテインメントが前記モバイル端末に結び付けられるか否かを確認するための応答である、ことと、
を実行し、
前記プロセッサは、さらに、前記ｎ個の車載インフォテインメントによって送信された前記結び付け確認応答に従って、前記モバイル端末を前記ｍ個の車載インフォテインメントに結び付け、前記ｍ個の車載インフォテインメントによって送信された前記結び付け確認応答は、前記ｍ個の車載インフォテインメントが前記モバイル端末に結び付けられたことを確認するための応答である、
請求項７に記載のサーバ。
【請求項９】
前記送受信機は、さらに、前記ｋ個の車載インフォテインメントが前記制御コマンドを実行した後で送信された実行結果情報を受信し、前記実行結果情報を前記モバイル端末に送信する、請求項７又は８に記載のサーバ。
【請求項１０】
プロセッサ及び送受信機を備えるモバイル端末であって、
前記プロセッサは、サーバにログインし、
前記送受信機は、
前記サーバがログインされた後で、前記サーバによって送信されたｍ個の車載インフォテインメントの識別情報を受信することであって、前記ｍ個の車載インフォテインメントは、前記モバイル端末に結び付けられ、ｍは、１より大きい又はこれに等しい整数である、ことと、
ユーザ操作を受信することであって、前記ユーザ操作は、前記ｍ個の車載インフォテインメントの前記識別情報から、対応するｋ個の車載インフォテインメントを決定するために用いられる、ことと、
を実行し、
前記送受信機は、結び付け命令を前記サーバに送信し、前記結び付け命令は、前記モバイル端末の識別情報及びｎ個の車載インフォテインメントの識別情報を保持し、前記結び付け命令は、前記モバイル端末を前記ｎ個の車載インフォテインメントに結び付けるよう前記サーバに命令するために用いられ、ｎは、ｍより大きい又はこれに等しく、ｎは、１より大きい又はこれに等しい整数である、モバイル端末。
【請求項１１】
前記送受信機は、さらに、前記サーバによって送信された結び付け完了通知を受信し、前記結び付け完了通知は、前記サーバが前記モバイル端末を前記ｍ個の車載インフォテインメントに結び付けた後で送信される、請求項１０に記載のモバイル端末。
【請求項１２】
前記送受信機は、さらに、前記サーバによって送信された実行結果情報であって、前記ｋ個の車載インフォテインメントが制御コマンドを実行した後で送信された実行結果情報を受信する、請求項１０又は１１に記載のモバイル端末。
【請求項１３】
車載インフォテインメントとデータを交換するための装置であって、
モバイル端末のログインが検出された場合に、オンラインであるｍ個の車載インフォテインメントの識別情報を前記モバイル端末に送信する送信モジュールであって、オンラインである前記ｍ個の車載インフォテインメントは、前記モバイル端末に結び付けられ、ｍは、１より大きい又はこれに等しい整数である、送信モジュールと、
前記モバイル端末によって送信された制御コマンドを受信する受信モジュールであって、前記制御コマンドは、アプリケーションを実行するようにｋ個の車載インフォテインメントを制御するために用いられ、前記ｋ個の車載インフォテインメントは、受信されたユーザ操作に従って、前記ｍ個の車載インフォテインメントの前記識別情報から前記モバイル端末によって決定された、対応するｋ個の車載インフォテインメントであり、ｋは、ｍより小さい又はこれに等しく、ｋは、１より大きい又はこれに等しい整数である、受信モジュールと、
を備え、
前記受信モジュールは、さらに、前記モバイル端末によって送信された結び付け命令を受信し、前記結び付け命令は、前記モバイル端末の識別情報及びｎ個の車載インフォテインメントの識別情報を保持し、前記結び付け命令は、前記モバイル端末を前記ｎ個の車載インフォテインメントに結び付けるよう前記装置に命令するために用いられ、ｎは、ｍより大きい又はこれに等しく、ｎは、１より大きい又はこれに等しい整数であり、
前記送信モジュールは、さらに、前記制御コマンドを前記ｋ個の車載インフォテインメントに送信する、
装置。
【請求項１４】
前記装置は、結び付けモジュールをさらに備え、
前記送信モジュールは、さらに、前記ｎ個の車載インフォテインメントの前記識別情報に従って、結び付け確認要求を前記ｎ個の車載インフォテインメントに別個に送信し、前記結び付け確認要求は、前記ｎ個の車載インフォテインメントが前記モバイル端末に結び付けられるか否かを確認するために用いられ、
前記受信モジュールは、さらに、前記ｎ個の車載インフォテインメントによって送信された結び付け確認応答を受信し、前記ｎ個の車載インフォテインメントによって送信された前記結び付け確認応答は、前記結び付け確認要求に従って、前記ｎ個の車載インフォテインメントが前記モバイル端末に結び付けられるか否かを確認するための応答であり、
前記結び付けモジュールは、前記ｎ個の車載インフォテインメントによって送信された前記結び付け確認応答に従って、前記モバイル端末を前記ｍ個の車載インフォテインメントに結び付け、前記ｍ個の車載インフォテインメントによって送信された前記結び付け確認応答は、前記ｍ個の車載インフォテインメントが前記モバイル端末に結び付けられたことを確認するための応答である、
請求項１３に記載の装置。
【請求項１５】
前記受信モジュールは、さらに、前記ｋ個の車載インフォテインメントが前記制御コマンドを実行した後で送信された実行結果情報を受信し、
前記送信モジュールは、さらに、前記実行結果情報を前記モバイル端末に送信する、
請求項１３又は１４に記載の装置。
【請求項１６】
車載インフォテインメントとデータを交換するための装置であって、
サーバにログインするログインモジュールと、
受信モジュールであって、
前記サーバがログインされた後で、前記サーバによって送信されたｍ個の車載インフォテインメントの識別情報を受信することであって、前記ｍ個の車載インフォテインメントは、前記装置に結び付けられ、ｍは、１より大きい又はこれに等しい整数である、ことと、
ユーザ操作を受信することであって、前記ユーザ操作は、前記ｍ個の車載インフォテインメントの前記識別情報から、対応するｋ個の車載インフォテインメントを決定するために用いられる、ことと、
を実行する、受信モジュールと、
を備え、
前記装置は、
結び付け命令を前記サーバに送信する送信モジュールをさらに備え、前記結び付け命令は、前記装置の識別情報及びｎ個の車載インフォテインメントの識別情報を保持し、前記結び付け命令は、前記装置を前記ｎ個の車載インフォテインメントに結び付けるよう前記サーバに命令するために用いられ、ｎは、ｍより大きい又はこれに等しく、ｎは、１より大きい又はこれに等しい整数である、
装置。
【請求項１７】
前記受信モジュールは、さらに、前記サーバによって送信された結び付け完了通知を受信し、前記結び付け完了通知は、前記サーバが前記装置を前記ｍ個の車載インフォテインメントに結び付けた後で送信される、請求項１６に記載の装置。
【請求項１８】
前記受信モジュールは、さらに、前記サーバによって送信された実行結果情報であって、前記ｋ個の車載インフォテインメントが制御コマンドを実行した後で送信された実行結果情報を受信する、請求項１６又は１７に記載の装置。
【請求項１９】
請求項１から６のいずれか１項に記載の方法をコンピュータに実行させるプログラム。
【発明の詳細な説明】
【技術分野】
【０００１】
本発明は、通信分野に関し、詳細には、車載インフォテインメントとデータを交換するための方法、サーバ、モバイル端末、及び装置に関する。
【背景技術】
【０００２】
人々の生活水準が徐々に向上し、経済が急速に発展してきたことにより、自動車がより普及してきている。近い将来、中国の各家庭は、平均して少なくとも１台の自動車を保有すると予測されている。さらに、自動車の重要なコンポーネントとして、車載インフォテインメントが、自動車内の人に対してエンターテインメント機能を提供するのみならず、自動車運転の高い利便性をも提供する。
【０００３】
車載インフォテインメントは、各自動車製造者によって自動車の中央コンソールにインストールされた、オーディオ及びビデオを再生するために用いられるマルチメディアデバイスを指す。人々は、通常、車載インフォテインメントを手動で制御し、車載インフォテインメントを用いることによって、自動車を制御する。例えば、人々は、自動車の車載インフォテインメントにおいてＧＰＳ（Ｇｌｏｂａｌ  Ｐｏｓｉｔｉｏｎｉｎｇ  Ｓｙｓｔｅｍ、グローバルポジショニングシステム）モジュールを手動で有効化し、これにより、ＧＰＳモジュールは、自動車をナビゲートすべく、地図データを車載インフォテインメントにおいてリアルタイムに表示する。
【０００４】
本発明の実現にあたり、発明者は、従来技術が少なくとも以下の問題を有することを見出した。
【０００５】
現在、ユーザは、車載インフォテインメントを手動で制御する。自動車に乗車している場合、ユーザは、この自動車における車載インフォテインメントのみを制御することができ、他の自動車の車載インフォテインメントを制御する時間を見出すことはできない。これは、ユーザの車載インフォテインメント利用に大きな不便をもたらす。さらに、ユーザが自動車から比較的遠く離れている場合に、ユーザが、できるだけ早く自動車の車載インフォテインメントを制御しようとする場合には、ユーザは、できるだけ早く自動車に駆け寄って乗車し、車載インフォテインメントを制御しなければならない。これは、ユーザが速く走ったとしても、時間をなお必要とする。ユーザと自動車との間の距離がより遠いことは、より長い時間が必要とされることを示す。ユーザの車載インフォテインメントの利用に不便がもたらされるのみならず、ユーザによる車載インフォテインメントの制御のリアルタイム性能要件を満たすこともできない。
【発明の概要】
【０００６】
ユーザにとって車載インフォテインメントを用いることが不便であり、ユーザによる車載インフォテインメントの制御のリアルタイム性能要件を満たすことができないという現在の問題を解決すべく、本発明の実施形態は、車載インフォテインメントとデータを交換するための方法、サーバ、モバイル端末、及び装置を提供する。技術的解決手段は、以下の通りである。
【０００７】
第１の態様によれば、本発明の実施形態は、車載インフォテインメントとデータを交換するための方法を提供する。方法は、サーバに適用され、
モバイル端末のログインが検出された場合に、オンラインであるｍ個の車載インフォテインメントの識別情報をモバイル端末に送信する段階であって、オンラインであるｍ個の車載インフォテインメントは、モバイル端末に結び付けられ、ｍは、１より大きい又はこれに等しい整数である、段階と、
モバイル端末によって送信された制御コマンドを受信する段階であって、制御コマンドは、アプリケーションを実行するようにｋ個の車載インフォテインメントを制御するために用いられ、ｋ個の車載インフォテインメントは、受信されたユーザ操作に従って、ｍ個の車載インフォテインメントの識別情報からモバイル端末によって決定された、対応するｋ個の車載インフォテインメントであり、ｋは、ｍより小さい又はこれに等しく、ｋは、１より大きい又はこれに等しい整数である、段階と、
制御コマンドをｋ個の車載インフォテインメントに送信する段階と、
を含む。
【０００８】
第１の態様に関連して、第１の態様の第１の可能な実装方式において、モバイル端末のログインが検出された場合に、オンラインであるｍ個の車載インフォテインメントの識別情報をモバイル端末に送信する段階の前に、方法は、
モバイル端末によって送信された結び付け命令を受信する段階であって、結び付け命令は、モバイル端末の識別情報及びｎ個の車載インフォテインメントの識別情報を保持し、結び付け命令は、モバイル端末をｎ個の車載インフォテインメントに結び付けるようサーバに命令するために用いられ、ｎは、ｍより大きい又はこれに等しく、ｎは、１より大きい又はこれに等しい整数である、段階と、
ｎ個の車載インフォテインメントの識別情報に従って、結び付け確認要求をｎ個の車載インフォテインメントに別個に送信する段階であって、結び付け確認要求は、ｎ個の車載インフォテインメントがモバイル端末に結び付けられるか否かを確認するために用いられる、段階と、
ｎ個の車載インフォテインメントによって送信された結び付け確認応答を受信する段階であって、ｎ個の車載インフォテインメントによって送信された結び付け確認応答は、結び付け確認要求に従って、ｎ個の車載インフォテインメントがモバイル端末に結び付けられるか否かを確認するための応答である、段階と、
ｎ個の車載インフォテインメントによって送信された結び付け確認応答に従って、モバイル端末をｍ個の車載インフォテインメントに結び付ける段階であって、ｍ個の車載インフォテインメントによって送信された結び付け確認応答は、ｍ個の車載インフォテインメントがモバイル端末に結び付けられたことを確認するための応答である、段階と、
をさらに含む。
【０００９】
第１の態様又は第１の態様の第１の可能な実装方式に関連して、第１の態様の第２の可能な実装方式において、制御コマンドをｋ個の車載インフォテインメントに送信した後で、方法は、
ｋ個の車載インフォテインメントが制御コマンドを実行した後で送信された実行結果情報を受信する段階と、
実行結果情報をモバイル端末に送信する段階と、
をさらに含む。
【００１０】
第２の態様によれば、本発明の実施形態は、車載インフォテインメントとデータを交換するための方法を提供する。方法は、モバイル端末に適用され、
サーバにログインする段階と、
サーバがログインされた後で、サーバによって送信されたｍ個の車載インフォテインメントの識別情報を受信する段階であって、ｍ個の車載インフォテインメントは、モバイル端末に結び付けられ、ｍは、１より大きい又はこれに等しい整数である、段階と、
ユーザ操作を受信する段階であって、ユーザ操作は、ｍ個の車載インフォテインメントの識別情報から、対応するｋ個の車載インフォテインメントを決定するために用いられる、段階と、
を含む。
【００１１】
第２の態様に関連して、第２の態様の第１の可能な実装方式において、サーバにログインする段階の前に、方法は、
結び付け命令をサーバに送信する段階であって、結び付け命令は、モバイル端末の識別情報及びｎ個の車載インフォテインメントの識別情報を保持し、結び付け命令は、モバイル端末をｎ個の車載インフォテインメントに結び付けるようサーバに命令するために用いられ、ｎは、ｍより大きい又はこれに等しく、ｎは、１より大きい又はこれに等しい整数である、段階
をさらに含む。
【００１２】
第２の態様の第１の可能な実装方式に関連して、第２の態様の第２の可能な実装方式において、方法は、サーバによって送信された結び付け完了通知を受信する段階であって、結び付け完了通知は、サーバがモバイル端末をｍ個の車載インフォテインメントに結び付けた後で送信される、段階をさらに含む。
【００１３】
第２の態様、第２の態様の第１の可能な実装方式、又は第２の態様の第２の可能な実装方式に関連して、第２の態様の第３の可能な実装方式において、方法は、
サーバによって送信された実行結果情報であって、ｋ個の車載インフォテインメントが制御コマンドを実行した後で送信された実行結果情報を受信する段階
をさらに含む。
【００１４】
第３の態様によれば、本発明の実施形態は、サーバを提供する。サーバは、プロセッサ及び送受信機を含み、
送受信機は、
プロセッサがモバイル端末のログインを検出した場合に、オンラインであるｍ個の車載インフォテインメントの識別情報をモバイル端末に送信することであって、オンラインであるｍ個の車載インフォテインメントは、モバイル端末に結び付けられ、ｍは、１より大きい又はこれに等しい整数である、ことと、
モバイル端末によって送信された制御コマンドを受信することであって、制御コマンドは、アプリケーションを実行するようにｋ個の車載インフォテインメントを制御するために用いられ、ｋ個の車載インフォテインメントは、受信されたユーザ操作に従って、ｍ個の車載インフォテインメントの識別情報からモバイル端末によって決定された、対応するｋ個の車載インフォテインメントであり、ｋは、ｍより小さい又はこれに等しく、ｋは、１より大きい又はこれに等しい整数である、ことと、
制御コマンドをｋ個の車載インフォテインメントに送信することと、
を実行するように構成され、
プロセッサは、モバイル端末のログインを検出するように構成される。
【００１５】
第３の態様に関連して、第３の態様の第１の可能な実装方式において、
送受信機は、
モバイル端末によって送信された結び付け命令を受信することであって、結び付け命令は、モバイル端末の識別情報及びｎ個の車載インフォテインメントの識別情報を保持し、結び付け命令は、モバイル端末をｎ個の車載インフォテインメントに結び付けるようサーバに命令するために用いられ、ｎは、ｍより大きい又はこれに等しく、ｎは、１より大きい又はこれに等しい整数である、ことと、
ｎ個の車載インフォテインメントの識別情報に従って、結び付け確認要求をｎ個の車載インフォテインメントに別個に送信することであって、結び付け確認要求は、ｎ個の車載インフォテインメントがモバイル端末に結び付けられるか否かを確認するために用いられる、ことと、
ｎ個の車載インフォテインメントによって送信された結び付け確認応答を受信することであって、ｎ個の車載インフォテインメントによって送信された結び付け確認応答は、結び付け確認要求に従って、ｎ個の車載インフォテインメントがモバイル端末に結び付けられるか否かを確認するための応答である、ことと、
を実行するようにさらに構成され、
プロセッサは、ｎ個の車載インフォテインメントによって送信された結び付け確認応答に従って、モバイル端末をｍ個の車載インフォテインメントに結び付けるようにさらに構成され、ｍ個の車載インフォテインメントによって送信された結び付け確認応答は、ｍ個の車載インフォテインメントがモバイル端末に結び付けられたことを確認するための応答である。
【００１６】
第３の態様又は第３の態様の第１の可能な実装方式に関連して、第３の態様の第２の可能な実装方式において、
送受信機は、ｋ個の車載インフォテインメントが制御コマンドを実行した後で送信された実行結果情報を受信し、実行結果情報をモバイル端末に送信するようにさらに構成される。
【００１７】
第４の態様によれば、本発明の実施形態は、モバイル端末を提供する。モバイル端末は、プロセッサ及び送受信機を含み、
プロセッサは、サーバにログインするように構成され、
送受信機は、
サーバがログインされた後で、サーバによって送信されたｍ個の車載インフォテインメントの識別情報を受信することであって、ｍ個の車載インフォテインメントは、モバイル端末に結び付けられ、ｍは、１より大きい又はこれに等しい整数である、ことと、
ユーザ操作を受信することであって、ユーザ操作は、ｍ個の車載インフォテインメントの識別情報から、対応するｋ個の車載インフォテインメントを決定するために用いられる、ことと、
を実行するように構成される。
【００１８】
第４の態様に関連して、第４の態様の第１の可能な実装方式において、
送受信機は、結び付け命令をサーバに送信するように構成され、結び付け命令は、モバイル端末の識別情報及びｎ個の車載インフォテインメントの識別情報を保持し、結び付け命令は、モバイル端末をｎ個の車載インフォテインメントに結び付けるようサーバに命令するために用いられ、ｎは、ｍより大きい又はこれに等しく、ｎは、１より大きい又はこれに等しい整数である。
【００１９】
第４の態様の第１の可能な実装方式に関連して、第４の態様の第２の可能な実装方式において、
送受信機は、サーバによって送信された結び付け完了通知を受信するようにさらに構成され、結び付け完了通知は、サーバがモバイル端末をｍ個の車載インフォテインメントに結び付けた後で送信される。
【００２０】
第４の態様、第４の態様の第１の可能な実装方式、又は第４の態様の第２の可能な実装方式に関連して、第４の態様の第３の可能な実装方式において、
送受信機は、サーバによって送信された実行結果情報であって、ｋ個の車載インフォテインメントが制御コマンドを実行した後で送信された実行結果情報を受信するようにさらに構成される。
【００２１】
第５の態様によれば、本発明の実施形態は、車載インフォテインメントとデータを交換するための装置を提供する。装置は、
モバイル端末のログインが検出された場合に、オンラインであるｍ個の車載インフォテインメントの識別情報をモバイル端末に送信するように構成される送信モジュールであって、オンラインであるｍ個の車載インフォテインメントは、モバイル端末に結び付けられ、ｍは、１より大きい又はこれに等しい整数である、送信モジュールと、
モバイル端末によって送信された制御コマンドを受信するように構成される受信モジュールであって、制御コマンドは、アプリケーションを実行するようにｋ個の車載インフォテインメントを制御するために用いられ、ｋ個の車載インフォテインメントは、受信されたユーザ操作に従って、ｍ個の車載インフォテインメントの識別情報からモバイル端末によって決定された、対応するｋ個の車載インフォテインメントであり、ｋは、ｍより小さい又はこれに等しく、ｋは、１より大きい又はこれに等しい整数である、受信モジュールと、
を含み、
送信モジュールは、制御コマンドをｋ個の車載インフォテインメントに送信するようにさらに構成される。
【００２２】
第５の態様に関連して、第５の態様の第１の可能な実装方式において、装置は、結び付けモジュールをさらに含み、
受信モジュールは、モバイル端末によって送信された結び付け命令を受信するようにさらに構成され、結び付け命令は、モバイル端末の識別情報及びｎ個の車載インフォテインメントの識別情報を保持し、結び付け命令は、モバイル端末をｎ個の車載インフォテインメントに結び付けるよう装置に命令するために用いられ、ｎは、ｍより大きい又はこれに等しく、ｎは、１より大きい又はこれに等しい整数であり、
送信モジュールは、ｎ個の車載インフォテインメントの識別情報に従って、結び付け確認要求をｎ個の車載インフォテインメントに別個に送信するようにさらに構成され、結び付け確認要求は、ｎ個の車載インフォテインメントがモバイル端末に結び付けられるか否かを確認するために用いられ、
受信モジュールは、ｎ個の車載インフォテインメントによって送信された結び付け確認応答を受信するようにさらに構成され、ｎ個の車載インフォテインメントによって送信された結び付け確認応答は、結び付け確認要求に従って、ｎ個の車載インフォテインメントがモバイル端末に結び付けられるか否かを確認するための応答であり、
結び付けモジュールは、ｎ個の車載インフォテインメントによって送信された結び付け確認応答に従って、モバイル端末をｍ個の車載インフォテインメントに結び付けるように構成され、ｍ個の車載インフォテインメントによって送信された結び付け確認応答は、ｍ個の車載インフォテインメントがモバイル端末に結び付けられたことを確認するための応答である。
【００２３】
第５の態様又は第５の態様の第１の可能な実装方式に関連して、第５の態様の第２の可能な実装方式において、
受信モジュールは、ｋ個の車載インフォテインメントが制御コマンドを実行した後で送信された実行結果情報を受信するようにさらに構成され、
送信モジュールは、実行結果情報をモバイル端末に送信するようにさらに構成される。
【００２４】
第６の態様によれば、本発明の実施形態は、車載インフォテインメントとデータを交換するための装置を提供する。装置は、
サーバにログインするように構成されるログインモジュールと、
受信モジュールであって、
サーバがログインされた後で、サーバによって送信されたｍ個の車載インフォテインメントの識別情報を受信することであって、ｍ個の車載インフォテインメントは、装置に結び付けられ、ｍは、１より大きい又はこれに等しい整数である、ことと、
ユーザ操作を受信することであって、ユーザ操作は、ｍ個の車載インフォテインメントの識別情報から、対応するｋ個の車載インフォテインメントを決定するために用いられる、ことと、
を実行するように構成される、受信モジュールと、
を含む。
【００２５】
第６の態様に関連して、第６の態様の第１の可能な実装方式において、装置は、
結び付け命令をサーバに送信するように構成される送信モジュールをさらに含み、結び付け命令は、装置の識別情報及びｎ個の車載インフォテインメントの識別情報を保持し、結び付け命令は、装置をｎ個の車載インフォテインメントに結び付けるようサーバに命令するために用いられ、ｎは、ｍより大きい又はこれに等しく、ｎは、１より大きい又はこれに等しい整数である。
【００２６】
第６の態様又は第６の態様の第１の可能な実装方式に関連して、第６の態様の第２の可能な実装方式において、
受信モジュールは、サーバによって送信された結び付け完了通知を受信するようにさらに構成され、結び付け完了通知は、サーバが装置をｍ個の車載インフォテインメントに結び付けした後で送信される。
【００２７】
第６の態様、第６の態様の第１の可能な実装方式、又は第６の態様の第２の可能な実装方式に関連して、第６の態様の第３の可能な実装方式において、
受信モジュールは、サーバによって送信された実行結果情報であって、ｋ個の車載インフォテインメントが制御コマンドを実行した後で送信された実行結果情報を受信するようにさらに構成される。
【００２８】
本発明の実施形態において、サーバは、モバイル端末のログインを検出した場合に、オンラインであるｍ個の車載インフォテインメントの識別情報をモバイル端末に送信する。ｍ個の車載インフォテインメントは、モバイル端末に結び付けられる。モバイル端末は、ｍ個の車載インフォテインメントの識別情報を受信し、ユーザ操作をさらに受信し、ユーザ操作に従って、ｍ個の車載インフォテインメントの識別情報からｋ個の車載インフォテインメントを決定し、制御コマンドをサーバに送信する。制御コマンドは、ｋ個の車載インフォテインメントを制御するために用いられる。サーバは、制御コマンドをｋ個の車載インフォテインメントに送信する。モバイル端末は、サーバを用いることによって、制御コマンドをｋ個の車載インフォテインメントに送信してよい。このように、ユーザは、モバイル端末を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、モバイル端末は、サーバを用いることによって、制御コマンドを車載インフォテインメントに送信する。これにより、ユーザは、モバイル端末を用いることによって、車載インフォテインメントを遠隔制御することができる。このように、ユーザが自動車から比較的遠く離れていたとしても、ユーザは、モバイル端末を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。
【図面の簡単な説明】
【００２９】
本発明の実施形態における技術的解決手段をより明確に説明すべく、以下、実施形態を説明するために必要な添付図面を簡潔に説明する。以下の説明における添付図面は、本発明のいくつかの実施形態を示しているに過ぎず、当業者であれば、これらの添付図面から、創造的努力がなくとも他の図面をさらに導出し得ることは明らかである。
【００３０】
【図１−１】本発明の実施形態に係る車載インフォテインメントとデータを交換するための第１のネットワークアーキテクチャの模式図である。
【００３１】
【図１−２】本発明の他の実施形態に係る車載インフォテインメントとデータを交換するための第２のネットワークアーキテクチャの模式図である。
【００３２】
【図１−３】本発明の実施形態に係る自動車の模式的構造図である。
【００３３】
【図２】本発明の他の実施形態に係る車載インフォテインメントとデータを交換するための方法の模式的フローチャートである。
【００３４】
【図３】本発明の他の実施形態に係る車載インフォテインメントとデータを交換するための方法の模式的フローチャートである。
【００３５】
【図４−１】本発明の実施形態に係る、モバイル端末が車載インフォテインメントに結び付けられることを示す模式的フローチャートである。
【００３６】
【図４−２】本発明の実施形態に係る第１のインタフェースの模式図である。
【００３７】
【図４−３】本発明の他の実施形態に係る、第２のインタフェースの模式図である。
【００３８】
【図４−４】本発明の他の実施形態に係る車載インフォテインメントとデータを交換するための方法の模式的フローチャートである。
【００３９】
【図４−５】本発明の他の実施形態に係る第３のインタフェースの模式図である。
【００４０】
【図４−６】本発明の他の実施形態に係る第４のインタフェースの模式図である。
【００４１】
【図５】本発明の実施形態に係るサーバの模式的構造図である。
【００４２】
【図６】本発明の実施形態に係るモバイル端末の模式的構造図である。
【００４３】
【図７】本発明の実施形態に係る車載インフォテインメントとデータを交換するための装置の模式的構造図である。
【００４４】
【図８】本発明の他の実施形態に係る車載インフォテインメントとデータを交換するための装置の模式的構造図である。
【発明を実施するための形態】
【００４５】
本発明の目的、技術的解決手段、及び利点をより明確にすべく、以下、添付図面に関連して、本発明の実施形態を詳細にさらに説明する。
【００４６】
実施形態１
図１−１を参照すると、本発明の本実施形態は、車載インフォテインメントとデータを交換するためのネットワークアーキテクチャを提供する。ネットワークアーキテクチャは、モバイル端末１、サーバ２、及び車載インフォテインメント３を含む。モバイル端末１及びサーバ２は、通信ネットワークを用いることによって、互いに接続されてよい。サーバ２及び車載インフォテインメント３は、通信ネットワークを用いることによって、互いに接続されてよい。通信ネットワークは、モバイル通信ネットワーク等であってよく、例えば、ＷｉＦｉ（登録商標）（Ｗｉｒｅｌｅｓｓ  Ｆｉｄｅｌｉｔｙ、ワイヤレスフィディリティ）ネットワーク、３Ｇネットワーク、又はＬＴＥ（Ｌｏｎｇ  Ｔｅｒｍ  Ｅｖｏｌｕｔｉｏｎ、ロングタームエボリューション）ネットワークのようなモバイル通信ネットワークであってよい。車載インフォテインメントは、自動車の中央コンソールにインストールされる、人と自動車の間で情報を交換するために用いられるデバイスを指す。
【００４７】
モバイル端末１は、通信ネットワークを用いることによって、サーバ２にログインしてよい。モバイル端末１のログインを検出した場合に、サーバ２は、モバイル端末１に結び付けられた、オンラインであるｍ個の車載インフォテインメントの識別情報を、モバイル端末１に送信する。ここで、ｍは、１より大きい又はこれに等しい整数である。モバイル端末１は、オンラインであるｍ個の車載インフォテインメントの識別情報を受信し、ユーザ操作を受信し、ユーザ操作に従って、オンラインであるｍ個の車載インフォテインメントの識別情報からｋ個の車載インフォテインメントを決定し、次に、制御コマンドを実行するようにｋ個の車載インフォテインメントを制御すべく、サーバ２を用いることによって、制御コマンドをｋ個の車載インフォテインメントに送信する。
【００４８】
サーバ２は、モバイル端末１と車載インフォテインメント３との間の結び付け関係リストを格納する。結び付け関係リストは、モバイル端末１の識別情報と、モバイル端末１に結び付けられた車載インフォテインメント３の識別情報及びステータス情報とを含む。ステータス情報は、オンライン状態又はオフライン状態であることを含む。各車載インフォテインメントに関して、車載インフォテインメントがオンにされた場合に、車載インフォテインメントは、サーバ２に通知し、サーバ２は、車載インフォテインメントのステータス情報を、結び付け関係リストにおけるオンライン状態に変更する。車載インフォテインメントがオフにされ始めた場合に、車載インフォテインメントは、サーバ２にさらに通知し、サーバ２は、車載インフォテインメントのステータス情報を、結び付け関係リストにおけるオフライン状態に変更する。例えば、表１に示される結び付け情報リストを参照されたい。
【表１】
0006448158.tif 000002
【００４９】
モバイル端末１がサーバ２にログインした後で、サーバ２は、モバイル端末１の識別情報を取得し、モバイル端末１の識別情報に従って、表１に示される結び付け情報リストから、モバイル端末１に結び付けられたオンラインであるｍ個の車載インフォテインメントの識別情報を取得してよい。
【００５０】
さらに、モバイル端末１が車載インフォテインメントを制御する前に、サーバ２は、モバイル端末１を車載インフォテインメント３に結び付ける必要がある。具体的なプロセスは、以下の通りである。
【００５１】
モバイル端末１は、モバイル端末１に結び付けられる必要があるｎ個の車載インフォテインメント３の識別情報を取得する。例えば、モバイル端末１は、ユーザによって入力された、モバイル端末１に結び付けられる必要があるｎ個の車載インフォテインメント３の識別情報を受信し、結び付け命令をサーバ２に送信してよい。ここで、ｎは、ｍより大きい又はこれに等しい整数である。結び付け命令は、モバイル端末１の識別情報及びｎ個の車載インフォテインメント３の識別情報を保持する。サーバ２は、ｎ個の車載インフォテインメント３の識別情報に従って、結び付け確認要求をｎ個の車載インフォテインメント３に別個に送信する。ｎ個の車載インフォテインメント３は、結び付け確認要求を受信し、結び付け確認要求に従って、モバイル端末１に結び付けられるか否かを確認し、結び付け確認応答をサーバ２に送信する。結び付け確認応答は、車載インフォテインメント３の確認結果を表すために用いられる。サーバ２は、ｎ個の車載インフォテインメント３によって送信された結び付け確認応答を受信し、ｎ個の車載インフォテインメント３によって送信された結び付け確認応答に従って、モバイル端末１をｍ個の車載インフォテインメントに結び付ける。ｍ個の車載インフォテインメント３によって送信された結び付け確認応答は、ｍ個の車載インフォテインメント３がモバイル端末１に結び付けられたことを確認するための応答である。
【００５２】
例えば、ｎは４であり、ｍは３であり、ｋは２であると仮定すると、モバイル端末１は、モバイル端末１に結び付けられる必要がある４つの車載インフォテインメントの識別情報、すなわち、車載インフォテインメント１の識別情報ＳＩＤ１、車載インフォテインメント２の識別情報ＳＩＤ２、車載インフォテインメント３の識別情報ＳＩＤ３、及び車載インフォテインメント４の識別情報ＳＩＤ４を取得する。モバイル端末１は、結び付け命令をサーバ２に送信する。結び付け命令は、車載インフォテインメント１の識別情報ＳＩＤ１、車載インフォテインメント２の識別情報ＳＩＤ２、車載インフォテインメント３の識別情報ＳＩＤ３、及び車載インフォテインメント４の識別情報ＳＩＤ４を保持する。サーバは、結び付け命令を受信し、結び付け命令に保持される車載インフォテインメント１の識別情報ＳＩＤ１、車載インフォテインメント２の識別情報ＳＩＤ２、車載インフォテインメント３の識別情報ＳＩＤ３、及び車載インフォテインメント４の識別情報ＳＩＤ４に従って、結び付け確認要求を、車載インフォテインメント１、車載インフォテインメント２、車載インフォテインメント３、及び車載インフォテインメント４に別個に送信する。車載インフォテインメント１、車載インフォテインメント２、車載インフォテインメント３、及び車載インフォテインメント４は、結び付け確認要求を別個に受信し、結び付け確認要求に従って、モバイル端末１に結び付けられるか否かを確認し、次に、結び付け確認応答をサーバ２に送信する。車載インフォテインメント１、車載インフォテインメント２、及び車載インフォテインメント３がモバイル端末１に結び付けられたことが確認され、車載インフォテインメント４がモバイル端末１に結び付けられていないことが確認されたと仮定する。サーバ２は、車載インフォテインメント１、車載インフォテインメント２、車載インフォテインメント３、及び車載インフォテインメント４によって送信された結び付け確認応答を受信し、車載インフォテインメント１、車載インフォテインメント２、車載インフォテインメント３、及び車載インフォテインメント４によって送信された結び付け確認応答に従って、車載インフォテインメント１、車載インフォテインメント２、及び車載インフォテインメント３がモバイル端末１に結び付けられたことが確認されたと決定し、モバイル端末１を、車載インフォテインメント１、車載インフォテインメント２、及び車載インフォテインメント３に別個に結び付ける。
【００５３】
車載インフォテインメントがモバイル端末１を用いることによって制御される必要がある場合に、モバイル端末１は、サーバ２にログインする。モバイル端末１のログインを検出した場合に、サーバ２は、モバイル端末１に結び付けられ、かつ、オンラインである、車載インフォテインメント１の識別情報ＳＩＤ１、車載インフォテインメント２の識別情報ＳＩＤ２、及び車載インフォテインメント３の識別情報ＳＩＤ３を、モバイル端末１に送信する。モバイル端末１は、車載インフォテインメント１の識別情報ＳＩＤ１、車載インフォテインメント２の識別情報ＳＩＤ２、及び車載インフォテインメント３の識別情報ＳＩＤ３を受信し、ユーザ操作を受信し、ユーザ操作に従って、車載インフォテインメント１の識別情報ＳＩＤ１、車載インフォテインメント２の識別情報ＳＩＤ２、及び車載インフォテインメント３の識別情報ＳＩＤ３から、車載インフォテインメント１及び車載インフォテインメント２であると仮定される２つの車載インフォテインメントを決定し、次に、サーバ２を用いることによって、制御コマンドを車載インフォテインメント１及び車載インフォテインメント２に送信し、制御コマンドを実行するように車載インフォテインメント１及び車載インフォテインメント２を制御する。
【００５４】
図１−２を参照すると、ネットワークアーキテクチャは、ゲートウェイ４をさらに含む。ゲートウェイ４は、サーバに統合されてよく、サーバにおける機能的モジュールである。又は、ゲートウェイ４は、サーバから分離されたデバイスであってよく、ゲートウェイ４及びサーバは、通信ネットワークを用いることによって、互いに接続される。サーバは、ゲートウェイ４を用いることによって、結び付け確認要求を車載インフォテインメント３に送信する。任意選択的に、結び付け確認要求は、ＳＭＳメッセージ等であってよく、ゲートウェイ４は、ＳＭＳゲートウェイであってよい。
【００５５】
モバイル端末１の識別情報は、モバイル端末１の電話番号等を特定するために用いられてよい。車載インフォテインメント３の識別情報は、車載インフォテインメント３の電話番号等を特定するために用いられてよい。
【００５６】
さらに、制御コマンドを実行した後で、ｋ個の車載インフォテインメントは、さらに、実行結果情報を取得し、実行結果情報をサーバ２に送信してよい。サーバ２は、ｋ個の車載インフォテインメント３によって送信された実行結果情報を受信し、ｋ個の車載インフォテインメント３の実行結果情報をモバイル端末１に送信する。モバイル端末１は、ｋ個の車載インフォテインメント３の実行結果情報を受信し、ｋ個の車載インフォテインメント３の実行結果情報を表示する。
【００５７】
図１−３を参照すると、各車載インフォテインメント３に関して、車載インフォテインメント３は、自動車の中央コンソールにインストールされる。車載インフォテインメント３は、自動車のＭＣＵ（ｍｉｃｒｏｃｏｎｔｒｏｌｌｅｒ  ｕｎｉｔ、マイクロコントローラユニット）に接続され、ＭＣＵは、ＣＡＮ（ｃｏｎｔｒｏｌｌｅｒ  ａｒｅａ  ｎｅｔｗｏｒｋ、コントローラエリアネットワーク）バスを用いることによって、自動車におけるコンポーネントに接続される。例えば、ＭＣＵは、ＣＡＮバスを用いることによって、自動車におけるエンジン、エアコン、ＧＰＳモジュール等に接続されてよい。
【００５８】
これに対応して、ｋ個の車載インフォテインメント３の各々に関して、車載インフォテインメントによる制御コマンドの実行は、車載インフォテインメントが、車載インフォテインメントが配置された自動車におけるＭＣＵに制御コマンドを送信し、車載インフォテインメントが配置された自動車のＭＣＵが、制御コマンドを実行して実行結果情報を取得し、実行結果情報を車載インフォテインメントに送信することであってよい。
【００５９】
例えば、制御コマンドは、自動車の現在位置をクエリするために用いられる位置クエリコマンド、自動車のステータスをクエリするために用いられるステータスクエリコマンド、エンジンのステータスをクエリするために用いられるエンジンクエリコマンド等であってよい。制御コマンドが位置クエリコマンドである場合、車載インフォテインメントは、車載インフォテインメントが配置された自動車のＭＣＵに、位置クエリコマンドを送信する。ＭＣＵは、ＧＰＳモジュールを呼び出し、自動車の位置情報を取得する。位置情報は、実行結果情報である。ＭＣＵは、実行結果情報を自動車に送信する。制御コマンドがステータスクエリコマンドである場合、車載インフォテインメントは、車載インフォテインメントが配置された自動車のＭＣＵに、ステータスクエリコマンドを送信する。ＭＣＵは、自動車の現在のステータスを取得する。現在のステータスは、実行結果情報である。ＭＣＵは、実行結果情報を自動車に送信する。制御コマンドがエンジンクエリコマンドである場合、車載インフォテインメントは、車載インフォテインメントが配置された自動車のＭＣＵに、エンジンクエリコマンドを送信する。ＭＣＵは、自動車のエンジンの現在のステータスを取得する。エンジンの現在のステータスは、実行結果情報である。ＭＣＵは、実行結果情報を車載インフォテインメントに送信する。
【００６０】
実施形態２
図２を参照すると、本発明の本実施形態は、車載インフォテインメントとデータを交換するための方法を提供し、これは、サーバに適用されてよく、以下の段階を含む。
【００６１】
段階２０１：モバイル端末のログインが検出された場合に、オンラインであるｍ個の車載インフォテインメントの識別情報をモバイル端末に送信する。ここで、オンラインであるｍ個の車載インフォテインメントは、モバイル端末に結び付けられ、ｍは、１より大きい又はこれに等しい整数である。
【００６２】
段階２０２：モバイル端末によって送信された制御コマンドを受信する。ここで、制御コマンドは、アプリケーションを実行するようにｋ個の車載インフォテインメントを制御するために用いられ、ｋ個の車載インフォテインメントは、受信されたユーザ操作に従って、ｍ個の車載インフォテインメントの識別情報からモバイル端末によって決定された、対応するｋ個の車載インフォテインメントであり、ｋは、ｍより小さい又はこれに等しく、ｋは、１より大きい又はこれに等しい整数である。
【００６３】
段階２０３：制御コマンドをｋ個の車載インフォテインメントに送信する。
【００６４】
本発明の本実施形態において、モバイル端末のログインが検出された場合に、モバイル端末に結び付けられたｍ個の車載インフォテインメントの識別情報は、モバイル端末に送信される。これにより、モバイル端末は、ユーザ操作に従って、ｍ個の車載インフォテインメントの識別情報からｋ個の車載インフォテインメントを決定し、モバイル端末によって送信された制御コマンドを受信し、制御コマンドをｋ個の車載インフォテインメントに送信する。サーバは、制御コマンドをｋ個の車載インフォテインメントに送信する。このように、ユーザは、モバイル端末を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、モバイル端末は、サーバを用いることによって、制御コマンドを車載インフォテインメントに送信する。これにより、ユーザは、モバイル端末を用いることによって、車載インフォテインメントを遠隔制御することができる。このように、ユーザが自動車から比較的遠く離れていたとしても、ユーザは、モバイル端末を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。
【００６５】
実施形態３
図３を参照すると、本発明の本実施形態は、車載インフォテインメントとデータを交換するための方法を提供し、これは、モバイル端末に適用され、以下の段階を含む。
【００６６】
段階３０１：サーバにログインする。
【００６７】
段階３０２：サーバがログインされた後で、サーバによって送信されたｍ個の車載インフォテインメントの識別情報を受信する。ここで、ｍ個の車載インフォテインメントは、モバイル端末に結び付けられ、ｍは、１より大きい又はこれに等しい整数である。
【００６８】
段階３０３：ユーザ操作を受信する。ここで、ユーザ操作は、ｍ個の車載インフォテインメントの識別情報から、対応するｋ個の車載インフォテインメントを決定するために用いられる。
【００６９】
任意選択的に、モバイル端末がサーバにログインするプロセスは、以下の通りであってよい。
【００７０】
モバイル端末は、ログインインタフェースを表示してよい。ユーザは、モバイル端末の識別情報及びログインパスワードを、ログインインタフェースに入力してよい。例えば、モバイル端末の識別情報が電話番号である場合、ユーザは、モバイル端末の電話番号及びログインパスワードをログインインタフェースに入力してよい。モバイル端末は、ログインインタフェースからモバイル端末の識別情報及びログインパスワードを取得し、ログイン要求をサーバに送信する。ログイン要求は、モバイル端末の識別情報及びログインパスワードを保持する。サーバは、ログイン要求を受信し、ログイン要求に保持されるモバイル端末の識別情報に従って、サーバに格納された、識別情報とログインパスワードとの間の対応から、対応するログインパスワードを見出す。見出されたログインパスワードがログイン要求に保持されるログインパスワードと同じである場合、モバイル端末は、ログインを許可される。識別情報とログインパスワードとの間の対応における識別情報及びログインパスワードは、全て、ユーザによって予めサーバに登録される。
【００７１】
本発明の本実施形態において、車載インフォテインメントが制御される必要がある場合に、モバイル端末は、サーバにログインし、サーバによって送信された、モバイル端末に結び付けられたｍ個の車載インフォテインメントの識別情報を受信し、ユーザ操作を受信し、ユーザ操作に従って、ｍ個の車載インフォテインメントの識別情報からｋ個の車載インフォテインメントを決定する。モバイル端末がｋ個の車載インフォテインメントを決定した後で、ユーザは、モバイル端末を用いることによって、制御コマンドをｋ個の車載インフォテインメントに送信してよい。このように、ユーザは、モバイル端末を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、車載インフォテインメントは、モバイル端末を用いることによって、遠隔制御される。このように、ユーザが自動車から比較的遠く離れていたとしても、ユーザは、モバイル端末を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。
【００７２】
実施形態４
本発明の本実施形態は、車載インフォテインメントとデータを交換するための方法を提供する。方法は、２つのプロセスを含む。第１のプロセスは、モバイル端末を車載インフォテインメントに結び付けることであり、第２のプロセスは、モバイル端末を用いることによって、制御コマンドを実行するように車載インフォテインメントを制御することである。第１に、図４−１を参照すると、モバイル端末を車載インフォテインメントに結び付けるプロセスは、以下の段階を含む。
【００７３】
段階４０１：モバイル端末は、サーバにログインし、ログイン後に、結び付け命令をサーバに送信する。ここで、結び付け命令は、モバイル端末の識別情報及びｎ個の車載インフォテインメントの識別情報を保持し、ｎは、１より大きい又はこれに等しい整数であり、結び付け命令は、モバイル端末をｎ個の車載インフォテインメントに結び付けるようサーバに命令するために用いられる。
【００７４】
モバイル端末は、ログインインタフェースを表示してよい。ユーザは、モバイル端末の識別情報及びログインパスワードを、ログインインタフェースに入力してよい。例えば、モバイル端末の識別情報が電話番号である場合、ユーザは、モバイル端末の電話番号及びログインパスワードをログインインタフェースに入力してよい。モバイル端末は、ログインインタフェースからモバイル端末の識別情報及びログインパスワードを取得し、ログイン要求をサーバに送信する。ログイン要求は、モバイル端末の識別情報及びログインパスワードを保持する。サーバは、ログイン要求を受信し、ログイン要求に保持されるモバイル端末の識別情報に従って、サーバに格納された、識別情報とログインパスワードとの間の対応から、対応するログインパスワードを見出す。見出されたログインパスワードがログイン要求に保持されるログインパスワードと同じである場合、モバイル端末は、ログインを許可される。識別情報とログインパスワードとの間の対応における識別情報及びログインパスワードは、全て、ユーザによって予めサーバに登録される。
【００７５】
ログインした後で、モバイル端末は、結び付けインタフェースを表示してよい。ユーザは、結び付けインタフェースに、モバイル端末に結び付けられる必要があるｎ個の車載インフォテインメントの識別情報を入力してよい。例えば、モバイル端末は、図４−２に示される結び付けインタフェースを表示する。ユーザは、入力ボックスに、モバイル端末に結び付けられる必要があるｎ個の車載インフォテインメントの識別情報を入力してよく、次に、結び付けボタンをクリックして、結び付けコマンドをモバイル端末に提出する。結び付けコマンドを検出した後で、モバイル端末は、結び付けインタフェースから、ユーザによって入力されたｎ個の車載インフォテインメントの識別情報を抽出する。
【００７６】
例えば、ユーザは、車載インフォテインメント１の識別情報ＳＩＤ１、車載インフォテインメント２の識別情報ＳＩＤ２、車載インフォテインメント３の識別情報ＳＩＤ３、及び車載インフォテインメント４の識別情報ＳＩＤ４を、図４−２に示される結び付けインタフェースに入力する。すなわち、ｎは４である。ユーザは、次に、結び付けボタンをクリックし、結び付けコマンドを提出する。結び付けコマンドを検出した後で、モバイル端末は、図４−２に示される結び付けインタフェースから、ユーザによって入力された４つの車載インフォテインメントの識別情報、すなわち、車載インフォテインメント１の識別情報ＳＩＤ１、車載インフォテインメント２の識別情報ＳＩＤ２、車載インフォテインメント３の識別情報ＳＩＤ３、及び車載インフォテインメント４の識別情報ＳＩＤ４を抽出し、結び付け命令をサーバに送信する。ここで、結び付け命令は、車載インフォテインメント１の識別情報ＳＩＤ１、車載インフォテインメント２の識別情報ＳＩＤ２、車載インフォテインメント３の識別情報ＳＩＤ３、及び車載インフォテインメント４の識別情報ＳＩＤ４を保持する。
【００７７】
段階４０２：サーバは、結び付け命令を受信する。ここで、結び付け命令は、モバイル端末の識別情報及びｎ個の車載インフォテインメントの識別情報を保持する。
【００７８】
段階４０３：サーバは、ｎ個の車載インフォテインメントの識別情報に従って、結び付け確認要求をｎ個の車載インフォテインメントに別個に送信する。
【００７９】
サーバは、ゲートウェイを用いることによって、結び付け確認要求をｎ個の車載インフォテインメントに送信してよい。結び付け確認要求は、ＳＭＳメッセージであってよく、ゲートウェイは、ＳＭＳゲートウェイであってよい。
【００８０】
例えば、サーバは、結び付け命令を受信し、結び付け命令に保持される車載インフォテインメント１の識別情報ＳＩＤ１、車載インフォテインメント２の識別情報ＳＩＤ２、車載インフォテインメント３の識別情報ＳＩＤ３、及び車載インフォテインメント４の識別情報ＳＩＤ４に従って、結び付け確認要求を、車載インフォテインメント１、車載インフォテインメント２、車載インフォテインメント３、及び車載インフォテインメント４に別個に送信する。
【００８１】
ｎ個の車載インフォテインメントの各々に関して、車載インフォテインメントがサーバによって送信された結び付け確認要求を受信する場合に、以下のオペレーションが、実行開始される。
【００８２】
段階４０４：車載インフォテインメントは、結び付け確認要求を受信し、結び付け確認要求の命令に従って、モバイル端末に結び付けられるか否かを確認し、結び付け確認応答をサーバに送信する。
【００８３】
具体的には、車載インフォテインメントは、結び付け確認要求を受信し、結び付け確認要求命令に従って、結び付け確認インタフェースを表示する。結び付け確認インタフェースは、例えば、図４−３に示される結び付け確認インタフェースを参照すると、結び付けボタン、取り消しボタン、モバイル端末を車載インフォテインメントに結び付けるか否かをユーザに促すために用いられる提示情報等を含む。ユーザがモバイル端末を車載インフォテインメントに結び付けると決定した場合、ユーザは、結び付けボタンをクリックし、結び付けコマンドを車載インフォテインメントに提出してよい。ユーザがモバイル端末を車載インフォテインメントに結び付けないと決定した場合、ユーザは、取り消しボタンをクリックし、取り消しコマンドを車載インフォテインメントに提出してよい。車載インフォテインメントは、ユーザがボタンをクリックした場合に、生成されたコマンドを検出する。車載インフォテインメントによって検出されたコマンドが結び付けコマンドである場合、車載インフォテインメントは、モバイル端末に結び付けられることを決定する。車載インフォテインメントによって検出されたコマンドが取り消しコマンドである場合、車載インフォテインメントは、モバイル端末に結び付けられないことを決定する。次に、車載インフォテインメントは、結び付け確認応答をサーバに送信する。車載インフォテインメントは、ゲートウェイを用いることによって、結び付け確認応答をサーバに送信してよい。結び付け確認応答は、ＳＭＳメッセージであってよい。
【００８４】
ｎ個の車載インフォテインメントの各々に関して、段階４０４が実行される。すなわち、ｎ個の車載インフォテインメントは、結び付け確認要求の命令に従って、モバイル端末に結び付けられるか否かを別個に確認し、結び付け確認応答をサーバに送信する。
【００８５】
例えば、車載インフォテインメント１、車載インフォテインメント２、車載インフォテインメント３、及び車載インフォテインメント４は、サーバによって送信された結び付け確認要求を別個に受信し、次に、結び付け確認インタフェースをユーザに表示し、モバイル端末に結び付けられるか否かをユーザに確認させる。ユーザが、車載インフォテインメント１、車載インフォテインメント２、及び車載インフォテインメント３がモバイル端末に結び付けられたことを確認し、車載インフォテインメント４がモバイル端末に結び付けられていないことを確認したと仮定する。次に、車載インフォテインメント１、車載インフォテインメント２、車載インフォテインメント３、及び車載インフォテインメント４は、それぞれ、結び付け確認応答をサーバに送信する。
【００８６】
段階４０５：サーバは、ｎ個の車載インフォテインメントによって送信された結び付け確認応答を受信し、ｎ個の車載インフォテインメントによって送信された結び付け確認応答に従って、モバイル端末をｍ個の車載インフォテインメントに結び付ける。ここで、ｍ個の車載インフォテインメントによって送信された結び付け確認応答は、ｍ個の車載インフォテインメントがモバイル端末に結び付けられたことを確認するための応答である。
【００８７】
ｎ個の車載インフォテインメントの各々に関して、車載インフォテインメントの結び付け確認応答は、車載インフォテインメントがモバイル端末に結び付けられるか否かを示すために用いられる。従って、サーバは、ｎ個の車載インフォテインメントによって送信された結び付け確認応答から、ｍ個の車載インフォテインメントがモバイル端末に結び付けられたことを示すために用いられるｍ個の結び付け確認応答を選択し、ｍ個の結び付け確認応答に対応するｍ個の車載インフォテインメントを決定し、次に、モバイル端末をｍ個の車載インフォテインメントに結び付ける。
【００８８】
例えば、サーバは、車載インフォテインメント１、車載インフォテインメント２、車載インフォテインメント３、及び車載インフォテインメント４によって送信された結び付け確認応答をそれぞれ受信し、車載インフォテインメント１、車載インフォテインメント２、車載インフォテインメント３、及び車載インフォテインメント４によって送信された結び付け確認応答に従って、車載インフォテインメント１、車載インフォテインメント２、及び車載インフォテインメント３がモバイル端末に結び付けられたことが全て確認されたと決定し、モバイル端末を、車載インフォテインメント１、車載インフォテインメント２、及び車載インフォテインメント３に結び付ける。
【００８９】
サーバは、モバイル端末の識別情報と、結び付け関係リストにおけるｍ個の車載インフォテインメントの各々の識別情報との間の対応を格納し、モバイル端末をｍ個の車載インフォテインメントに結び付ける。結び付け関係リストは、各車載インフォテインメントのステータス情報をさらに格納する。あらゆる車載インフォテインメントに関して、車載インフォテインメントがオンにされた場合に、車載インフォテインメントは、サーバに通知し、サーバは、車載インフォテインメントのステータス情報を、結び付け関係リストにおけるオンライン状態に変更する。車載インフォテインメントがオフにされ始めた場合に、車載インフォテインメントは、サーバにさらに通知し、サーバは、車載インフォテインメントのステータス情報を、結び付け関係リストにおけるオフライン状態に変更する。
【００９０】
段階４０６：モバイル端末をｍ個の車載インフォテインメントに結び付けた後で、サーバは、結び付け完了通知をモバイル端末及びｍ個の車載インフォテインメントに別個に送信する。
【００９１】
モバイル端末及びｍ個の車載インフォテインメントは、結び付け完了通知を受信し、結び付け完了通知をユーザに別個に表示する。
【００９２】
さらに、モバイル端末をｍ個の車載インフォテインメントに結び付けた後で、サーバは、ｍ個の車載インフォテインメントの各々に対して、非対称暗号鍵をさらに生成してよい。車載インフォテインメントの非対称暗号鍵は、公開鍵及び秘密鍵を含む。サーバによって車載インフォテインメントに送信された結び付け完了通知は、秘密鍵を保持してよく、サーバは、車載インフォテインメントの公開鍵を格納する。これに対応して、結び付け完了通知を受信した後で、車載インフォテインメントは、結び付け完了通知に保持される秘密鍵を格納する。
【００９３】
モバイル端末が車載インフォテインメントに結び付けられた後で、車載インフォテインメントは、モバイル端末を用いることによって、制御コマンドを実行するように制御されてよい。図４−４を参照すると、プロセスは、以下の段階を含む。
【００９４】
段階４１１：モバイル端末は、サーバにログインする。
【００９５】
モバイル端末は、ログインインタフェースを表示してよい。ユーザは、モバイル端末の識別情報及びログインパスワードを、ログインインタフェースに入力してよい。例えば、モバイル端末の識別情報が電話番号である場合、ユーザは、モバイル端末の電話番号及びログインパスワードをログインインタフェースに入力してよい。モバイル端末は、ログインインタフェースからモバイル端末の識別情報及びログインパスワードを取得し、ログイン要求をサーバに送信する。ログイン要求は、モバイル端末の識別情報及びログインパスワードを保持する。サーバは、ログイン要求を受信し、ログイン要求に保持されるモバイル端末の識別情報に従って、サーバに格納された、識別情報とログインパスワードとの間の対応から、対応するログインパスワードを見出す。見出されたログインパスワードがログイン要求に保持されるログインパスワードと同じである場合、モバイル端末は、ログインを許可される。
【００９６】
段階４１２：モバイル端末のログインを検出した後で、サーバは、オンラインであるｍ個の車載インフォテインメントの識別情報をモバイル端末に送信する。ここで、オンラインであるｍ個の車載インフォテインメントは、モバイル端末に結び付けられ、ｍは、１より大きい又はこれに等しい整数であり、ｍは、ｎより小さい又はこれに等しい。
【００９７】
モバイル端末によって送信されたログイン要求は、モバイル端末の識別情報を保持する。従って、サーバは、ログイン要求からモバイル端末の識別情報を取得してよい。これに対応して、この段階は、結び付け関係リストから、モバイル端末の識別情報に従って、対応するステータス情報がオンライン状態であるｍ個の車載インフォテインメントの識別情報を取得する段階と、オンラインであるｍ個の車載インフォテインメントの識別情報をモバイル端末に送信する段階とであってよい。
【００９８】
例えば、サーバは、表１に示される結び付け関係リストから、モバイル端末の識別情報ＩＤ１に従って、ステータス情報がオンライン状態である３つの車載インフォテインメントの識別情報、すなわち、車載インフォテインメント１の識別情報ＳＩＤ１、車載インフォテインメント２の識別情報ＳＩＤ２、及び車載インフォテインメント３の識別情報ＳＩＤ３を取得する。すなわち、ｍは３である。サーバは、車載インフォテインメント１の識別情報ＳＩＤ１、車載インフォテインメント２の識別情報ＳＩＤ２、及び車載インフォテインメント３の識別情報ＳＩＤ３を、モバイル端末に送信する。
【００９９】
さらに、サーバは、さらに、ｍ個の車載インフォテインメントの各々に対応する公開鍵を取得し、各車載インフォテインメントに対応する公開鍵をモバイル端末に送信する。
【０１００】
段階４１３：モバイル端末は、ｍ個の車載インフォテインメントの識別情報を受信し、ユーザ操作を受信し、ユーザ操作に従って、ｍ個の車載インフォテインメントの識別情報から、対応するｋ個の車載インフォテインメントを決定する。
【０１０１】
この段階において、ｋ個の車載インフォテインメントを決定するためのオペレーションは、モバイル端末によって、ｍ個の車載インフォテインメントの識別情報を受信する段階と、表示インタフェースにおいて、ｍ個の車載インフォテインメントの識別情報に対応する車載インフォテインメント名称を表示する段階と、ユーザによって、ｍ個の車載インフォテインメントの表示された車載インフォテインメント名称から、制御される必要があるｋ個の車載インフォテインメントの車載インフォテインメント名称を選択する段階と、モバイル端末によって、ユーザによって選択されたｋ個の車載インフォテインメントを取得する段階と、であってよい。
【０１０２】
例えば、モバイル端末は、車載インフォテインメント１の識別情報ＳＩＤ１、車載インフォテインメント２の識別情報ＳＩＤ２、及び車載インフォテインメント３の識別情報ＳＩＤ３を受信する。図４−５に示される表示インタフェースを参照すると、モバイル端末は、表示インタフェースにおいて、車載インフォテインメント１の識別情報ＳＩＤ１、車載インフォテインメント２の識別情報ＳＩＤ２、及び車載インフォテインメント３の識別情報ＳＩＤ３にそれぞれ対応する車載インフォテインメント名称、すなわち、名称１、名称２、及び名称３を表示する。各車載インフォテインメントの車載インフォテインメント名称は、選択ボタンにさらに対応する。ユーザが車載インフォテインメント名称を選択しようとする場合、ユーザは、車載インフォテインメント名称に対応する選択ボタンをクリックしてよい。例えば、ユーザは、車載インフォテインメント名称である名称１及び名称２に対応する選択ボタンを、別個にクリックする。さらに、表示インタフェースは、提出ボタンをさらに含む。ユーザは、選択後に提出ボタンをクリックし、モバイル端末をトリガしてよく、次に、モバイル端末は、２つの選択された車載インフォテインメント、すなわち、車載インフォテインメント１及び車載インフォテインメント２を取得する。すなわち、ｋは２である。
【０１０３】
さらに、ｋ個の車載インフォテインメントは、他の方式でさらに決定されてよい。例えば、モバイル端末のデフォルト設定は、デフォルトで、表示される第１の車載インフォテインメント名称に対応する車載インフォテインメントを選択するものと仮定する。表示インタフェースに表示された第１の車載インフォテインメント名称に対応する車載インフォテインメントが、まさにユーザが選択しようとするものに合致した場合、ユーザは、提出ボタンを直接クリックし、モバイル端末をトリガしてよく、次に、モバイル端末は、デフォルト設定に従って、第１の車載インフォテインメント名称に対応する車載インフォテインメントを選択する。
【０１０４】
段階４１４：モバイル端末は、制御コマンドを取得し、制御コマンド及びｋ個の車載インフォテインメントの識別情報をサーバに送信する。
【０１０５】
モバイル端末は、ユーザが制御コマンドを選択するために、制御コマンドを含む制御インタフェースを表示してよい。例えば、図４−５に示される制御インタフェースを参照すると、制御インタフェースは、自動車の現在位置をクエリするために用いられる位置クエリコマンド、自動車のステータスをクエリするために用いられるステータスクエリコマンド、エンジンのステータスをクエリするために用いられるエンジンクエリコマンド等を含む。ユーザは、制御コマンドをクリックしてよい。モバイル端末は、ユーザによって選択された制御コマンドを取得し、制御コマンド及びｋ個の車載インフォテインメントの識別情報をサーバに送信する。
【０１０６】
例えば、ユーザによってクリックされた制御コマンドが位置クエリコマンドであると仮定すると、モバイル端末は、車載インフォテインメント１の識別情報ＳＩＤ１、車載インフォテインメント２の識別情報ＳＩＤ２、及び位置クエリコマンドをサーバに送信する。
【０１０７】
さらに、制御コマンドを送信する前に、モバイル端末は、さらに、車載インフォテインメントの公開鍵を用いることによって、制御コマンドを暗号化し、暗号化された制御コマンドをサーバに送信してよい。
【０１０８】
段階４１５：サーバは、ｋ個の車載インフォテインメントの識別情報及び制御コマンドを受信し、ｋ個の車載インフォテインメントの識別情報に従って、制御コマンドをｋ個の車載インフォテインメントに別個に送信する。
【０１０９】
例えば、サーバは、車載インフォテインメント１の識別情報ＳＩＤ１、車載インフォテインメント２の識別情報ＳＩＤ２、及び位置クエリコマンドを受信し、車載インフォテインメント１の識別情報ＳＩＤ１及び車載インフォテインメント２の識別情報ＳＩＤ２に従って、位置クエリコマンドを車載インフォテインメント１及び車載インフォテインメント２に別個に送信する。
【０１１０】
ｋ個の車載インフォテインメントの各々が制御コマンドを受信した後で、以下のオペレーションが実行される。
【０１１１】
段階４１６：車載インフォテインメントは、制御コマンドを受信し、制御コマンドを実行して実行結果情報を取得し、実行結果情報をサーバに送信する。
【０１１２】
各車載インフォテインメントに関して、車載インフォテインメントは、車載インフォテインメントに対応する自動車の中央コンソールにインストールされる。車載インフォテインメントは、自動車のＭＣＵに接続される。車載インフォテインメントは、制御コマンドを車載インフォテインメントが配置された自動車のＭＣＵに送信する。車載インフォテインメントが配置された自動車のＭＣＵは、制御コマンドを実行して実行結果情報を取得し、ＭＣＵは、実行結果情報を車載インフォテインメントに送信する。
【０１１３】
さらに、制御コマンドを受信した後で、車載インフォテインメントは、格納された秘密鍵を用いることによって、制御コマンドを復号し、復号された制御コマンドを実行する。
【０１１４】
例えば、制御コマンドが位置クエリコマンドである場合、車載インフォテインメントは、車載インフォテインメントが配置された自動車のＭＣＵに、位置クエリコマンドを送信する。ＭＣＵは、ＧＰＳモジュールを呼び出し、自動車の位置情報を取得する。位置情報は、実行結果情報である。ＭＣＵは、実行結果情報を車載インフォテインメントに送信する。制御コマンドがステータスクエリコマンドである場合、車載インフォテインメントは、車載インフォテインメントが配置された自動車のＭＣＵに、ステータスクエリコマンドを送信する。ＭＣＵは、自動車の現在のステータスを取得する。現在のステータスは、実行結果情報である。ＭＣＵは、実行結果情報を車載インフォテインメントに送信する。制御コマンドがエンジンクエリコマンドである場合、車載インフォテインメントは、車載インフォテインメントが配置された自動車のＭＣＵに、エンジンクエリコマンドを送信する。ＭＣＵは、自動車のエンジンの現在のステータスを取得する。エンジンの現在のステータスは、実行結果情報であＭＣＵは、実行結果情報を車載インフォテインメントに送信する。
【０１１５】
他の例では、車載インフォテインメント１及び車載インフォテインメント２に関して、車載インフォテインメント１は、位置クエリコマンドを受信し、車載インフォテインメント１が配置された自動車１の位置１を取得する。位置１は、実行結果情報である。車載インフォテインメント１は、位置１をサーバに送信する。車載インフォテインメント２は、位置クエリコマンドを受信し、車載インフォテインメント２が配置された自動車２の位置２を取得する。位置２は、実行結果情報である。車載インフォテインメント２は、位置２をサーバに送信する。
【０１１６】
段階４１７：サーバは、ｋ個の車載インフォテインメントの実行結果情報を受信し、ｋ個の車載インフォテインメントの実行結果情報をモバイル端末に送信する。
【０１１７】
モバイル端末は、実行結果情報を受信し、実行結果情報をユーザに表示する。
【０１１８】
例えば、サーバは、車載インフォテインメント１によって送信された位置１及び車載インフォテインメント２によって送信された位置２を受信し、位置１及び位置２をモバイル端末に送信する。モバイル端末は、位置１及び位置２を受信し、位置１及び位置２をユーザに表示する。
【０１１９】
本発明の本実施形態において、モバイル端末が車載インフォテインメントを制御する必要がある場合に、モバイル端末は、サーバにログインする。サーバは、オンラインであるｍ個の車載インフォテインメントの識別情報をモバイル端末に送信する。ｍ個の車載インフォテインメントは、モバイル端末に結び付けられる。モバイル端末は、ユーザが選択するために、オンラインであるｍ個の車載インフォテインメントを表示してよい。次に、モバイル端末は、ユーザ操作を受信し、ユーザ操作に従って、制御される必要があるｋ個の車載インフォテインメントを決定し、ｋ個の車載インフォテインメントの識別情報及び制御コマンドをサーバに送信する。サーバは、制御コマンドをｋ個の車載インフォテインメントに送信する。従って、ユーザは、モバイル端末を用いることによって、ｋ個の車載インフォテインメントを制御してよい。このように、ユーザは、モバイル端末を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、モバイル端末は、サーバを用いることによって、制御コマンドを車載インフォテインメントに送信する。これにより、ユーザは、モバイル端末を用いることによって、車載インフォテインメントを遠隔制御することができる。このように、ユーザが自動車から比較的遠く離れていたとしても、ユーザは、モバイル端末を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。制御コマンドを車載インフォテインメントに送信する前に、モバイル端末は、車載インフォテインメントの公開鍵を用いることによって、制御コマンドを暗号化してよい。制御コマンドを受信した後で、車載インフォテインメントは、秘密鍵を用いることによって、制御コマンドを復号してよい。これは、モバイル端末による車載インフォテインメントの制御のセキュリティを保証してよい。
【０１２０】
実施形態５
図５を参照すると、図５は、本発明の本実施形態に係るサーバ５００の模式的構造図である。サーバ５００は、異なる構成又は異なる性能に起因して、大きく異なってよく、１つ又は複数のプロセッサ５０１、送受信機５０２、メモリ５３２、及びアプリケーションプログラム５４２又はデータ５４４を格納する１つ又は複数の記憶媒体５３０（例えば、１つ又は複数の大容量ストレージデバイス）を含んでよい。メモリ５３２及び記憶媒体５３０は、一時的ストレージ又は永続的ストレージであってよい。記憶媒体５３０に格納されたプログラムは、１つ又は複数のモジュール（不図示）を含んでよく、各モジュールは、サーバ５００の一連の命令を動作させてよい。さらに、プロセッサ５０１は、記憶媒体５３０と通信を行い、サーバ５００において、記憶媒体５３０における一連の命令オペレーションを実行するように構成されてよい。
【０１２１】
サーバ５００は、１つ又は複数の電源５２６、１つ又は複数の有線又は無線ネットワークインタフェース５５０、１つ又は複数の入力／出力インタフェース５５８、１つ又は複数のキーボード５５６及び／又はＷｉｎｄｏｗｓ  Ｓｅｒｖｅｒ（商標）、ＭＡＣ  ＯＳ  Ｘ（商標）、ＵＮＩＸ（登録商標）、Ｌｉｎｕｘ（登録商標）、及びＦｒｅｅＢＳＤ（商標）のような１つ又は複数のオペレーティングシステム５４１をさらに含んでよい。
【０１２２】
本発明において、サーバ５００のプロセッサ５０１及び送受信機５０２は、以下の機能を有する。
【０１２３】
プロセッサ５０１は、モバイル端末のログインを検出するように構成される。
【０１２４】
送受信機５０２は、プロセッサ５０１がモバイル端末のログインを検出した場合に、オンラインであるｍ個の車載インフォテインメントの識別情報をモバイル端末に送信するように構成される。オンラインであるｍ個の車載インフォテインメントは、モバイル端末に結び付けられ、ｍは、１より大きい又はこれに等しい整数である。送受信機５０２は、モバイル端末によって送信された制御コマンドを受信するように構成される。制御コマンドは、アプリケーションを実行するようにｋ個の車載インフォテインメントを制御するために用いられ、ｋ個の車載インフォテインメントは、受信されたユーザ操作に従って、ｍ個の車載インフォテインメントの識別情報からプロセッサ５０１によって決定された、対応するｋ個の車載インフォテインメントである。ｋは、ｍより小さい又はこれに等しく、ｋは、１より大きい又はこれに等しい整数である。送受信機５０２は、制御コマンドをｋ個の車載インフォテインメントに送信するように構成される。
【０１２５】
送受信機５０２は、ＲＦ（ｒａｄｉｏ  ｆｒｅｑｕｅｎｃｙ、無線周波数）回路であってよい。
【０１２６】
モバイル端末がログインする場合に、モバイル端末は、ログイン要求をサーバ５００に送信する。ログイン要求は、モバイル端末の識別情報及びログインパスワードを保持する。送受信機５０２は、ログイン要求を受信する。プロセッサ５０１は、ログイン要求に保持されるモバイル端末の識別情報に従って、識別情報とログインパスワードとの間の対応から、対応するログインパスワードを取得する。ログイン要求に保持されるログインパスワードが取得されたログインパスワードと同じである場合に、モバイル端末はログインすることを許可され、モバイル端末がサーバ５００にログインしたことが検出される。
【０１２７】
モバイル端末のログインが検出された場合に、プロセッサ５０１は、モバイル端末の識別情報に従って、結び付け関係リストからオンラインであるｍ個の車載インフォテインメントの識別情報を取得してよく、次に、送受信機５０２は、オンラインであるｍ個の車載インフォテインメントの識別情報をモバイル端末に送信する。
【０１２８】
任意選択的に、送受信機５０２は、モバイル端末によって送信された結び付け命令を受信するようにさらに構成される。結び付け命令は、モバイル端末の識別情報及びｎ個の車載インフォテインメントの識別情報を保持し、結び付け命令は、モバイル端末をｎ個の車載インフォテインメントに結び付けるようサーバ５００に命令するために用いられる。ｎは、ｍより大きい又はこれに等しく、ｎは、１より大きい又はこれに等しい整数である。送受信機５０２は、ｎ個の車載インフォテインメントの識別情報に従って、結び付け確認要求をｎ個の車載インフォテインメントに別個に送信するようにさらに構成される。ここで、結び付け確認要求は、ｎ個の車載インフォテインメントがモバイル端末に結び付けられるか否かを確認するために用いられる。送受信機５０２は、ｎ個の車載インフォテインメントによって送信された結び付け確認応答を受信するようにさらに構成される。ここで、ｎ個の車載インフォテインメントによって送信された結び付け確認応答は、結び付け確認要求に従って、ｎ個の車載インフォテインメントがモバイル端末に結び付けられるか否かを確認するための応答である。
【０１２９】
プロセッサ５０１は、ｎ個の車載インフォテインメントによって送信された結び付け確認応答に従って、モバイル端末をｍ個の車載インフォテインメントに結び付けるようにさらに構成される。ｍ個の車載インフォテインメントによって送信された結び付け確認応答は、ｍ個の車載インフォテインメントがモバイル端末に結び付けられたことを確認するための応答である。
【０１３０】
プロセッサ５０１は、モバイル端末の識別情報と、結び付け関係リストにおけるｍ個の車載インフォテインメントの識別情報との間の対応を格納し、モバイル端末をｍ個の車載インフォテインメントに結び付ける。
【０１３１】
さらに、結び付け関係リストは、ｍ個の車載インフォテインメントの各々のステータス情報をさらに格納する。ステータス情報は、オンライン状態又はオフライン状態であることを含む。各車載インフォテインメントに関して、車載インフォテインメントがオンにされ始めた場合に、車載インフォテインメントは、サーバ５００に通知し、これに対応して、プロセッサ５０１は、結び付け関係リストにおいて、車載インフォテインメントのステータス情報をオンライン状態に変更する。車載インフォテインメントがオフにされ始めた場合に、車載インフォテインメントは、サーバ５００にさらに通知し、これに対応して、プロセッサ５０１は、車載インフォテインメントのステータス情報を、結び付け関係リストにおけるオフライン状態に変更する。
【０１３２】
さらに、送受信機５０２は、ｋ個の車載インフォテインメントが制御コマンドを実行した後で送信された実行結果情報を受信し、ｋ個の車載インフォテインメントの実行結果情報をモバイル端末に送信するようにさらに構成される。
【０１３３】
本発明の本実施形態において、サーバのプロセッサがモバイル端末のログインを検出した場合に、サーバの送受信機は、オンラインであるｍ個の車載インフォテインメントの識別情報をモバイル端末に送信する。ここで、ｍ個の車載インフォテインメントは、モバイル端末に結び付けられる。次に、モバイル端末は、制御されることが必要であるｋ個の車載インフォテインメントを決定する。その後、サーバの送受信機は、モバイル端末によって送信されたｋ個の車載インフォテインメントの識別情報及び制御コマンドを受信し、制御コマンドをｋ個の車載インフォテインメントに送信する。従って、ユーザは、モバイル端末を用いることによって、ｋ個の車載インフォテインメントを制御してよい。このように、ユーザは、モバイル端末を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、モバイル端末は、サーバを用いることによって、制御コマンドを車載インフォテインメントに送信する。これにより、ユーザは、モバイル端末を用いることによって、車載インフォテインメントを遠隔制御することができる。このように、ユーザが自動車から比較的遠く離れていたとしても、ユーザは、モバイル端末を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。
【０１３４】
実施形態６
本発明の実施形態６は、モバイル端末６００を提供する。これは、本発明３の実施形態３及び４における方法を実行するように構成されてよい。図６は、本発明の実施形態６において提供されるモバイル端末６００の構造を示す。
【０１３５】
モバイル端末６００は、携帯電話、タブレットコンピュータ、ＰＤＡ（ｐｅｒｓｏｎａｌ  ｄｉｇｉｔａｌ  ａｓｓｉｓｔａｎｔ、パーソナルデジタルアシスタント）等を含む端末デバイスであってよい。例として、携帯電話であるモバイル端末６００を用いて、図６は、本発明の本実施形態において提供される端末に関連する携帯電話６００の構造の一部のブロック図を示す。図６を参照すると、携帯電話６００は、送受信機６１０、メモリ６２０、入力ユニット６３０、表示ユニット６４０、センサ６５０、オーディオ回路６６０、ＷｉＦｉ（登録商標）（Ｗｉｒｅｌｅｓｓ  Ｆｉｄｅｌｉｔｙ、ワイヤレスフィディリティ）モジュール６７０、プロセッサ６８０、及び電源６９０のようなコンポーネントを含む。当業者であれば、図６に示される携帯電話の構造が、実装方式の例として用いられたに過ぎず、携帯電話への限定を構成するものではないこと、及び、携帯電話が、図に示されるものより多くのコンポーネントもしくはより少ないコンポーネントを含んでよく、又は、いくつかのコンポーネントは組み合わせられてよく、もしくは異なるコンポーネントの配置が用いられてよいことを理解しよう。
【０１３６】
携帯電話６００のコンポーネントは、具体的には、図６に関連して後述される。
【０１３７】
送受信機６１０は、ＲＦ回路であってよく、情報を受信及び送信し、会話中に信号を受信及び送信し、特に、基地局から、プロセッサ６８０により処理されるべきダウンリンク情報を受信し、指定されたアップリンクデータを基地局にさらに送信するように構成されてよい。通常、送受信機６１０は、限定されるものではないが、アンテナ、少なくとも１つの増幅器、送受信機、カプラ、ＬＮＡ（ｌｏｗ  ｎｏｉｓｅ  ａｍｐｌｉｆｉｅｒ、低ノイズ増幅器）、デュプレクサ等を含む。さらに、送受信機６１０は、無線通信により、ネットワーク及び他のデバイスと通信を行ってもよい。無線通信は、限定されるものではないが、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ、グローバルシステムフォーモバイルコミュニケーションズ）、ＧＰＲＳ（Ｇｅｎｅｒａｌ  Ｐａｃｋｅｔ  Ｒａｄｉｏ  Ｓｅｒｖｉｃｅ、汎用パケット無線サービス）、ＣＤＭＡ（Ｃｏｄｅ  Ｄｉｖｉｓｉｏｎ  Ｍｕｌｔｉｐｌｅ  Ａｃｃｅｓｓ、符号分割多重アクセス）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、ワイドバンド符号分割多重アクセス）、ＬＴＥ（Ｌｏｎｇ  Ｔｅｒｍ  Ｅｖｏｌｕｔｉｏｎ、ロングタームエボリューション）、電子メール、及びＳＭＳ（ｓｈｏｒｔ  ｍｅｓｓａｇｉｎｇ  ｓｅｒｖｉｃｅ、ショートメッセージサービス）を含む任意の通信規格又はプロトコルを用いてよい。
【０１３８】
メモリ６２０は、ソフトウェアプログラム及びモジュールを格納するように構成されてよい。プロセッサ６８０は、メモリ６２０に格納されたソフトウェアプログラム及びモジュールを動作させ、携帯電話６００の様々な機能アプリケーション及びデータ処理を実装する。メモリ６２０は、プログラムストレージエリア及びデータストレージエリアを主に含んでよい。プログラムストレージエリアは、オペレーティングシステム、少なくとも１つの機能（音声再生機能及び画像表示機能のような）によって必要とされるアプリケーションプログラム等を格納してよく、データストレージエリアは、携帯電話６００の利用に従って形成されるデータ（オーディオデータ及び電話帳のような）等を格納してよい。さらに、メモリ６２０は、高速ランダムアクセスメモリを含んでよく、少なくとも１つのディスクストレージデバイス、フラッシュメモリデバイス、又は他の揮発性ソリッドステートストレージデバイスのような不揮発性メモリをさらに含んでよい。
【０１３９】
入力ユニット６３０は、入力された数字又は文字情報を受信し、携帯電話６００のユーザ設定及び機能制御に関連して入力されるキー信号を生成するように構成されてよい。具体的には、入力ユニット６３０は、タッチパネル６３１及び他の入力デバイス６３２を含んでよい。タッチスクリーンとも称されるタッチパネル６３１は、タッチパネル６３１上又はその付近におけるユーザのタッチ操作（指又はスタイラスのような任意の好適なオブジェクト又はアクセサリを用いることによる、タッチパネル６３１上又はタッチパネル６３１付近におけるユーザ操作のような）を収集し、予め設定されたプログラムに従って、対応する接続装置を駆動する。任意選択的に、タッチパネル６３１は、タッチ検出装置及びタッチコントローラという２つの部分を含んでよい。タッチ検出装置は、ユーザのタッチ位置を検出し、タッチ操作によって生成された信号を検出し、信号をタッチコントローラに転送する。タッチコントローラは、タッチ検出装置からタッチ情報を受信し、タッチ情報をタッチポイント座標に変換し、次に、タッチポイント座標をプロセッサ６８０に送信する。さらに、タッチコントローラは、プロセッサ６８０から送信されたコマンドを受信及び実行してよい。さらに、タッチパネル６３１は、抵抗タイプ、静電容量タイプ、赤外線、及び表面音響波のような、様々なタイプで実装されてよい。タッチパネル６３１に加えて、入力ユニット６３０は、他の入力デバイス６３２をさらに含んでよい。具体的には、他の入力デバイス６３２は、限定されるものではないが、物理的キーボード、機能キー（ボリューム制御キー又はスイッチキーのような）、トラックボール、マウス又はジョイスティックの１つ又は複数を含んでよい。
【０１４０】
表示ユニット６４０は、ユーザによって入力された情報又はユーザに提供される情報、及び携帯電話６００の様々なメニューを表示するように構成されてよい。表示ユニット６４０は、表示パネル６４１を含んでよい。任意選択的に、表示パネル６４１は、ＬＣＤ（ｌｉｑｕｉｄ  ｃｒｙｓｔａｌ  ｄｉｓｐｌａｙ、液晶ディスプレイ）、ＯＬＥＤ（ｏｒｇａｎｉｃ  ｌｉｇｈｔ−ｅｍｉｔｔｉｎｇ  ｄｉｏｄｅ、有機発光ダイオード）等の形で構成されてよい。さらに、タッチパネル６３１は、表示パネル６４１をカバーしてよい。タッチパネル６３１上又はその付近におけるタッチ操作を検出した後で、タッチパネル６３１は、タッチイベントのタイプを決定すべく、タッチ操作をプロセッサ６８０に転送する。次に、プロセッサ６８０は、タッチイベントのタイプに従って、対応する視覚的出力を表示パネル６４１に提供する。図６においては、タッチパネル６３１及び表示パネル６４１は、携帯電話６００の入出力機能を実装する２つの別個コンポーネントとして用いられるが、いくつかの実施形態においては、タッチパネル６３１及び表示パネル６４１は、統合されて、携帯電話６００の入出力機能を実装してよい。
【０１４１】
携帯電話６００は、光学センサ、運動センサ、及び他のセンサのような、少なくとも１つのセンサ６５０をさらに含んでよい。具体的には、光学センサは、周辺光センサ及び近接センサを含んでよい。周辺光センサは、周辺光の輝度に従って、表示パネル６４１の輝度を調整してよい。近接センサは、携帯電話６００が耳に移動した場合には、表示パネル６４１及び／又はバックライトをスイッチオフしてよい。運動センサの１つのタイプとして、加速センサは、様々な方向（概して、３つの軸）における加速の大きさを検出可能であり、携帯電話６００が静的な場合には、重力の大きさ及び方向を検出可能であり、携帯電話のジェスチャを認識するアプリケーション（例えば、風景の向きと写真の向きとの間のスイッチ、関連するゲーム、及び磁力計のジェスチャキャリブレーション）、振動認識（歩数計及びノックのような）に関連する機能等に適用されてよい。携帯電話６００に対してさらに構成され得るジャイロスコープ、気圧計、湿度計、温度計、及び赤外線センサのような他のセンサに関しては、詳細は本明細書において説明されない。
【０１４２】
オーディオ回路６６０、スピーカ６６１、及びマイク６６２は、ユーザと携帯電話６００との間にオーディオインタフェースを提供してよい。オーディオ回路６６０は、受信されたオーディオデータを電気信号に変換し、電気信号をスピーカ６６１に送信してよい。スピーカ６６１は、電気信号を、出力のための音声信号に変換する。一方、マイク６６２は、収集された音声信号を電気信号に変換する。オーディオ回路６６０は、電気信号を受信し、電気信号をオーディオデータに変換し、オーディオデータを処理のためにプロセッサ６８０に出力する。次に、プロセッサ６８０は、オーディオデータを、ＲＦ回路６１０を用いることによって、例えば、他の携帯電話に送信する、又は、オーディオデータを、さらなる処理のためにメモリ６２０に出力する。
【０１４３】
ＷｉＦｉ（登録商標）は、短距離無線送信技術に属する。携帯電話６００は、ＷｉＦｉ（登録商標）モジュール６７０を用いることによって、ユーザの電子メールの受信及び送信、ウェブページのブラウジング、ストリーミングメディアへのアクセス等を助けてよい。ＷｉＦｉ（登録商標）は、ユーザに無線ブロードバンドインターネットアクセスを提供する。図６はＷｉＦｉ（登録商標）モジュール６７０を示すが、ＷｉＦｉ（登録商標）モジュール６７０は、携帯電話６００の必要なコンポーネントではなく、ＷｉＦｉ（登録商標）モジュール６７０は、本発明の本質の範囲が変更されない限り、必要性に従って、省略されてよいことが理解されよう。
【０１４４】
プロセッサ６８０は、携帯電話６００のコントロールセンタであり、様々なインタフェース及び線を用いることによって、携帯電話全体の様々な部分に接続される。メモリ６２０に格納されたソフトウェアプログラム及び／又はモジュールを動作させ又は実行し、メモリ６２０に格納されたデータを呼び出すことによって、プロセッサ６８０は、携帯電話６００の様々な機能及びデータ処理を実行し、これにより、携帯電話に対する全体的なモニタリングを実行する。任意選択的に、プロセッサ６８０は、１つ又は複数の処理ユニットを含んでよい。好ましくは、プロセッサ６８０は、アプリケーションプロセッサ及びモデムプロセッサを統合してよい。アプリケーションプロセッサは、主に、オペレーティングシステム、ユーザインタフェース、アプリケーションプログラム等を処理する。モデムプロセッサは、主に、無線通信を処理する。前述のモデムプロセッサはプロセッサ６８０に統合されなくてよいことが理解されよう。
【０１４５】
携帯電話６００は、電力をコンポーネントに供給するための電源６９０（バッテリのような）をさらに含む。好ましくは、電源は、電力管理システムを用いることによって、プロセッサ６８０に論理的に接続され、これにより、充電、放電及び電力消費管理のような機能を、電力管理システムを用いることによって実装する。
【０１４６】
図示されていないが、携帯電話６００は、カメラ、Ｂｌｕｅｔｏｏｔｈ（登録商標）モジュール等をさらに含んでよいが、詳細は本明細書において説明されない。
【０１４７】
本発明の本実施形態において、モバイル端末６００に含まれるプロセッサ６８０及び送受信機６１０は、以下の機能を有する。
【０１４８】
プロセッサ６８０は、サーバにログインするように構成される。
【０１４９】
送受信機６１０は、サーバがログインされた後で、サーバによって送信されたｍ個の車載インフォテインメントの識別情報を受信するように構成される。ここで、ｍ個の車載インフォテインメントは、モバイル端末６００に結び付けられ、ｍは、１より大きい又はこれに等しい整数である。送受信機６１０は、ユーザ操作を受信するように構成される。ここで、ユーザ操作は、ｍ個の車載インフォテインメントの識別情報から、対応するｋ個の車載インフォテインメントを決定するために用いられる。
【０１５０】
任意選択的に、送受信機６１０は、結び付け命令をサーバに送信するように構成される。結び付け命令は、モバイル端末６００の識別情報及びｎ個の車載インフォテインメントの識別情報を保持し、結び付け命令は、モバイル端末６００をｎ個の車載インフォテインメントに結び付けるようサーバに命令するために用いられ、ｎは、ｍより大きい又はこれに等しく、ｎは、１より大きい又はこれに等しい整数である。
【０１５１】
任意選択的に、送受信機６１０は、サーバによって送信された結び付け完了通知を受信するようにさらに構成される。結び付け完了通知は、サーバがモバイル端末をｍ個の車載インフォテインメントに結び付けた後で送信される。
【０１５２】
任意選択的に、送受信機６１０は、サーバによって送信された実行結果情報であって、ｋ個の車載インフォテインメントが制御コマンドを実行した後で送信された実行結果情報を受信するようにさらに構成される。
【０１５３】
本発明の本実施形態においてモバイル端末のプロセッサがサーバにログインした後で、モバイル端末の送受信機は、サーバによって送信された、オンラインであるｍ個の車載インフォテインメントの識別情報を受信する。ｍ個の車載インフォテインメントは、モバイル端末に結び付けられ、ユーザ操作を受信する。次に、プロセッサは、ユーザ操作に従って、ｍ個の車載インフォテインメントの識別情報から、ｋ個の車載インフォテインメントを決定する。送受信機は、ｋ個の車載インフォテインメントの識別情報及び制御コマンドをサーバに送信する。プロセッサがｋ個の車載インフォテインメントを決定した後で、ユーザは、モバイル端末の送受信機を用いることによって、制御コマンドをｋ個の車載インフォテインメントに送信してよい。このように、ユーザは、モバイル端末を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、車載インフォテインメントは、モバイル端末を用いることによって、遠隔制御される。このように、ユーザが自動車から比較的遠く離れていたとしても、ユーザは、モバイル端末を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。
【０１５４】
実施形態７
図７を参照すると、本発明の本実施形態は、車載インフォテインメントとデータを交換するための装置７００を提供する。装置７００は、
モバイル端末のログインが検出された場合に、オンラインであるｍ個の車載インフォテインメントの識別情報をモバイル端末に送信するように構成される送信モジュール７０１であって、オンラインであるｍ個の車載インフォテインメントは、モバイル端末に結び付けられ、ｍは、１より大きい又はこれに等しい整数である、送信モジュール７０１と、
モバイル端末によって送信された制御コマンドを受信するように構成される受信モジュール７０２であって、制御コマンドは、アプリケーションを実行するようにｋ個の車載インフォテインメントを制御するために用いられ、ｋ個の車載インフォテインメントは、受信されたユーザ操作に従って、ｍ個の車載インフォテインメントの識別情報からモバイル端末によって決定された、対応するｋ個の車載インフォテインメントであり、ｋは、ｍより小さい又はこれに等しく、ｋは、１より大きい又はこれに等しい整数である、受信モジュール７０２と、
を含み、
送信モジュール７０１は、制御コマンドをｋ個の車載インフォテインメントに送信するようにさらに構成される。
【０１５５】
モバイル端末がログインする場合に、モバイル端末は、ログイン要求を装置７００に送信する。ここで、ログイン要求は、モバイル端末の識別情報及びログインパスワードを保持する。装置７００は、ログイン要求を受信し、ログイン要求に保持されるモバイル端末の識別情報に従って、識別情報とログインパスワードとの間の対応から、対応するログインパスワードを取得する。ログイン要求に保持されるログインパスワードが取得されたログインパスワードと同じである場合に、モバイル端末はログインすることを許可され、モバイル端末が装置７００にログインしたことが検出される。
【０１５６】
モバイル端末のログインが検出された場合に、装置７００は、モバイル端末の識別情報に従って、結び付け関係リストからオンラインであるｍ個の車載インフォテインメントの識別情報を取得してよく、次に、送信モジュール７０１を用いることによって、オンラインであるｍ個の車載インフォテインメントの識別情報をモバイル端末に送信する。
【０１５７】
さらに、装置７００は、結び付けモジュール７０３をさらに含む。
【０１５８】
受信モジュール７０２は、モバイル端末によって送信された結び付け命令を受信するようにさらに構成される。ここで、結び付け命令は、モバイル端末の識別情報及びｎ個の車載インフォテインメントの識別情報を保持し、結び付け命令は、モバイル端末をｎ個の車載インフォテインメントに結び付けるよう装置７００に命令するために用いられ、ｎは、ｍより大きい又はこれに等しく、ｎは、１より大きい又はこれに等しい整数である。
【０１５９】
送信モジュール７０１は、ｎ個の車載インフォテインメントの識別情報に従って、結び付け確認要求をｎ個の車載インフォテインメントに別個に送信するようにさらに構成される。ここで、結び付け確認要求は、ｎ個の車載インフォテインメントがモバイル端末に結び付けられるか否かを確認するために用いられる。
【０１６０】
受信モジュール７０２は、ｎ個の車載インフォテインメントによって送信された結び付け確認応答を受信するようにさらに構成される。ここで、ｎ個の車載インフォテインメントによって送信された結び付け確認応答は、結び付け確認要求に従って、ｎ個の車載インフォテインメントがモバイル端末に結び付けられるか否かを確認するための応答である。
【０１６１】
結び付けモジュール７０３は、ｎ個の車載インフォテインメントによって送信された結び付け確認応答に従って、モバイル端末をｍ個の車載インフォテインメントに結び付けるように構成される。ここで、ｍ個の車載インフォテインメントによって送信された結び付け確認応答は、ｍ個の車載インフォテインメントがモバイル端末に結び付けられたことを確認するための応答である。
【０１６２】
結び付けモジュール７０３は、モバイル端末の識別情報と、結び付け関係リストにおけるｍ個の車載インフォテインメントの識別情報との間の対応を格納し、モバイル端末をｍ個の車載インフォテインメントに結び付ける。
【０１６３】
さらに、結び付け関係リストは、ｍ個の車載インフォテインメントの各々のステータス情報をさらに格納する。ここで、ステータス情報は、オンライン状態又はオフライン状態を含む。各車載インフォテインメントに関して、車載インフォテインメントがオンにされ始めた場合に、車載インフォテインメントは、装置７００に通知し、これに対応して、装置７００は、結び付け関係リストにおいて、車載インフォテインメントのステータス情報をオンライン状態に変更する。車載インフォテインメントがオフにされ始めた場合に、車載インフォテインメントは、装置７００にさらに通知し、これに対応して、装置７００は、車載インフォテインメントのステータス情報を、結び付け関係リストにおけるオフライン状態に変更する。
【０１６４】
さらに、受信モジュール７０２は、ｋ個の車載インフォテインメントが制御コマンドを実行した後で送信された実行結果情報を受信するようにさらに構成される。
【０１６５】
送信モジュール７０１は、ｋ個の車載インフォテインメントの実行結果情報をモバイル端末に送信するようにさらに構成される。
【０１６６】
本発明の本実施形態において、装置７００がモバイル端末のログインを検出した場合に、装置７００の送信モジュールは、オンラインであるｍ個の車載インフォテインメントの識別情報をモバイル端末に送信する。ここで、ｍ個の車載インフォテインメントは、モバイル端末に結び付けられる。次に、モバイル端末は、制御されることが必要であるｋ個の車載インフォテインメントを決定する。その後、装置７００の受信モジュールは、モバイル端末によって送信されたｋ個の車載インフォテインメントの識別情報及び制御コマンドを受信し、次に、送信モジュールを用いることによって、制御コマンドをｋ個の車載インフォテインメントに送信する。従って、ユーザは、モバイル端末を用いることによって、ｋ個の車載インフォテインメントを制御してよい。このように、ユーザは、モバイル端末を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、モバイル端末は、装置７００を用いることによって、制御コマンドを車載インフォテインメントに送信する。これにより、ユーザは、モバイル端末を用いることによって、車載インフォテインメントを遠隔制御することができる。このように、ユーザが自動車から比較的遠く離れていたとしても、ユーザは、モバイル端末を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。
【０１６７】
実施形態８
図８を参照すると、本発明の本実施形態は、車載インフォテインメントとデータを交換するための装置８００を提供する。装置８００は、
サーバにログインするように構成されるログインモジュール８０１と、
受信モジュール８０２であって、
サーバがログインされた後で、サーバによって送信されたｍ個の車載インフォテインメントの識別情報を受信することであって、ｍ個の車載インフォテインメントは、装置に結び付けられ、ｍは、１より大きい又はこれに等しい整数である、ことと、
ユーザ操作を受信することであって、ユーザ操作は、ｍ個の車載インフォテインメントの識別情報から、対応するｋ個の車載インフォテインメントを決定するために用いられる、ことと、
を実行するように構成される、受信モジュール８０２と、
を含む。
【０１６８】
装置８００は、表示モジュール８０３及び送信モジュール８０４をさらに含む。これに対応して、ログインモジュール８０１は、具体的には、以下の方式でサーバにログインしてよい。ログインモジュール８０１は、表示モジュール８０３をトリガし、ログインインタフェースを表示する。ユーザは、装置８００の識別情報及びログインパスワードを、ログインインタフェースに入力してよい。ログインモジュール８０１は、ログインインタフェースから識別情報及びログインパスワードを取得する。送信モジュール８０４は、ログイン要求をサーバに送信する。ここで、ログイン要求は、識別情報及びログインパスワードを保持する。サーバは、ログイン要求を受信し、ログイン要求に保持される識別情報に従って、サーバに格納された、識別情報とログインパスワードとの間の対応から、対応するログインパスワードを見出す。見出されたログインパスワードがログイン要求に保持されるログインパスワードと同じである場合、結び付けモジュール８０１は、ログインを許可される。
【０１６９】
さらに、装置８００は、決定モジュール８０５をさらに含んでよい。受信モジュール８０２がｍ個の車載インフォテインメントの識別情報を受信した後で、表示モジュール８０３は、ｍ個の車載インフォテインメントの識別情報に対応する車載インフォテインメント名称を表示する。ユーザは、ｍ個の車載インフォテインメントの表示された車載インフォテインメント名称から、制御されることが必要なｋ個の車載インフォテインメントの車載インフォテインメント名称を選択する。受信モジュール８０２は、ユーザ操作を受信し、決定モジュール８０５は、ユーザ操作に従って、ｍ個の車載インフォテインメントの識別情報から、ｋ個の車載インフォテインメントを決定する。
【０１７０】
さらに、ｍ個の車載インフォテインメントの識別情報が受信される前に、送信モジュール８０４は、結び付け命令をサーバに送信するように構成される。ここで、結び付け命令は、装置８００の識別情報及びｎ個の車載インフォテインメントの識別情報を保持し、結び付け命令は、装置８００をｎ個の車載インフォテインメントに結び付けるようサーバに命令するために用いられ、ｎは、ｍより大きい又はこれに等しく、ｎは、１より大きい又はこれに等しい整数である。
【０１７１】
任意選択的に、受信モジュール８０２は、サーバによって送信された結び付け完了通知を受信するようにさらに構成される。ここで、結び付け完了通知は、サーバが装置８００をｍ個の車載インフォテインメントに結び付けた後で送信される。
【０１７２】
任意選択的に、受信モジュール８０２は、サーバによって送信された実行結果情報であって、ｋ個の車載インフォテインメントが制御コマンドを実行した後で送信された実行結果情報を受信するようにさらに構成される。
【０１７３】
本発明の本実施形態において、受信モジュールは、ログインモジュールがサーバにログインした後でサーバによって送信された、オンラインであるｍ個の車載インフォテインメントの識別情報を受信する。ここで、ｍ個の車載インフォテインメントは、装置８００に結び付けられる。受信モジュールは、ユーザ操作を受信し、次に、ユーザ操作に従って、ｍ個の車載インフォテインメントの識別情報から、対応するｋ個の車載インフォテインメントを決定する。送信モジュールは、ｋ個の車載インフォテインメントの識別情報及び制御コマンドをサーバに送信する。サーバは、ｋ個の車載インフォテインメントの識別情報に従って、制御コマンドをｋ個の車載インフォテインメントに別個に送信する。ｋ個の車載インフォテインメントは、制御コマンドを別個に実行する。このように、ユーザは、装置８００を用いることによって、１つ又は複数の自動車の車載インフォテインメントを制御してよい。複数の自動車の車載インフォテインメントを制御する場合、ユーザは、各自動車に別個に駆け寄って乗車し、各自動車の車載インフォテインメントを制御する必要がない。これにより、ユーザの車載インフォテインメントの利用が大幅に容易化される。さらに、車載インフォテインメントは、装置８００を用いることによって、遠隔制御される。このように、ユーザが自動車から比較的遠く離れていたとしても、ユーザは、装置８００を用いることによって、自動車の車載インフォテインメントをなお直ちに制御することができる。これは、ユーザの車載インフォテインメントの利用を容易化するのみならず、車載インフォテインメントの制御のリアルタイム性能をも向上させ、ユーザによる車載インフォテインメントの制御のリアルタイム性能要件をも満たす。
【０１７４】
当業者であれば、実施形態の段階の全て又はいくつかは、ハードウェア又は関連するハードウェアに命令するプログラムによって実装されてよいことを理解しよう。プログラムは、コンピュータ可読記憶媒体に格納されてよい。記憶媒体は、リードオンリメモリ、磁気ディスク、又は光ディスクを含んでよい。
【０１７５】
前述の説明は、本発明の例示的な実施形態に過ぎず、本発明を限定することを意図するものではない。本発明の趣旨及び原則から逸脱することなくなされたあらゆる変形、均等置換、及び改良は、本発明の保護範囲に属するものとする。
［項目１］
車載インフォテインメントとデータを交換するための方法であって、上記方法は、サーバに適用され、
モバイル端末のログインが検出された場合に、オンラインであるｍ個の車載インフォテインメントの識別情報を上記モバイル端末に送信する段階であって、オンラインである上記ｍ個の車載インフォテインメントは、上記モバイル端末に結び付けられ、ｍは、１より大きい又はこれに等しい整数である、段階と、
上記モバイル端末によって送信された制御コマンドを受信する段階であって、上記制御コマンドは、アプリケーションを実行するようにｋ個の車載インフォテインメントを制御するために用いられ、上記ｋ個の車載インフォテインメントは、受信されたユーザ操作に従って、上記ｍ個の車載インフォテインメントの上記識別情報から上記モバイル端末によって決定された、対応するｋ個の車載インフォテインメントであり、ｋは、ｍより小さい又はこれに等しく、ｋは、１より大きい又はこれに等しい整数である、段階と、
上記制御コマンドを上記ｋ個の車載インフォテインメントに送信する段階と、
を備える方法。
［項目２］
モバイル端末のログインが検出された場合に、オンラインであるｍ個の車載インフォテインメントの識別情報を上記モバイル端末に送信する上記段階の前に、
上記モバイル端末によって送信された結び付け命令を受信する段階であって、上記結び付け命令は、上記モバイル端末の識別情報及びｎ個の車載インフォテインメントの識別情報を保持し、上記結び付け命令は、上記モバイル端末を上記ｎ個の車載インフォテインメントに結び付けるよう上記サーバに命令するために用いられ、ｎは、ｍより大きい又はこれに等しく、ｎは、１より大きい又はこれに等しい整数である、段階と、
上記ｎ個の車載インフォテインメントの上記識別情報に従って、結び付け確認要求を上記ｎ個の車載インフォテインメントに別個に送信する段階であって、上記結び付け確認要求は、上記ｎ個の車載インフォテインメントが上記モバイル端末に結び付けられるか否かを確認するために用いられる、段階と、
上記ｎ個の車載インフォテインメントによって送信された結び付け確認応答を受信する段階であって、上記ｎ個の車載インフォテインメントによって送信された上記結び付け確認応答は、上記結び付け確認要求に従って、上記ｎ個の車載インフォテインメントが上記モバイル端末に結び付けられるか否かを確認するための応答である、段階と、
上記ｎ個の車載インフォテインメントによって送信された上記結び付け確認応答に従って、上記モバイル端末を上記ｍ個の車載インフォテインメントに結び付ける段階であって、上記ｍ個の車載インフォテインメントによって送信された上記結び付け確認応答は、上記ｍ個の車載インフォテインメントが上記モバイル端末に結び付けられたことを確認するための応答である、段階と、
をさらに備える、項目１に記載の方法。
［項目３］
上記制御コマンドを上記ｋ個の車載インフォテインメントに送信する上記段階の後で、
上記ｋ個の車載インフォテインメントが上記制御コマンドを実行した後で送信された実行結果情報を受信する段階と、
上記実行結果情報を上記モバイル端末に送信する段階と、
をさらに備える、項目１又は２に記載の方法。
［項目４］
車載インフォテインメントとデータを交換するための方法であって、上記方法は、モバイル端末に適用され、
サーバにログインする段階と、
上記サーバがログインされた後で、上記サーバによって送信されたｍ個の車載インフォテインメントの識別情報を受信する段階であって、上記ｍ個の車載インフォテインメントは、上記モバイル端末に結び付けられ、ｍは、１より大きい又はこれに等しい整数である、段階と、
ユーザ操作を受信する段階であって、上記ユーザ操作は、上記ｍ個の車載インフォテインメントの上記識別情報から、対応するｋ個の車載インフォテインメントを決定するために用いられる、段階と、
を備える方法。
［項目５］
サーバにログインする上記段階の前に、
結び付け命令を上記サーバに送信する段階であって、上記結び付け命令は、上記モバイル端末の識別情報及びｎ個の車載インフォテインメントの識別情報を保持し、上記結び付け命令は、上記モバイル端末を上記ｎ個の車載インフォテインメントに結び付けるよう上記サーバに命令するために用いられ、ｎは、ｍより大きい又はこれに等しく、ｎは、１より大きい又はこれに等しい整数である、段階
をさらに備える、項目４に記載の方法。
［項目６］
上記方法は、上記サーバによって送信された結び付け完了通知を受信する段階であって、上記結び付け完了通知は、上記サーバが上記モバイル端末を上記ｍ個の車載インフォテインメントに結び付けた後で送信される、段階をさらに備える、項目５に記載の方法。
［項目７］
上記方法は、
上記サーバによって送信された実行結果情報であって、上記ｋ個の車載インフォテインメントが制御コマンドを実行した後で送信された実行結果情報を受信する段階
をさらに備える、項目４から６のいずれか１項に記載の方法。
［項目８］
プロセッサ及び送受信機を備えるサーバであって、
上記プロセッサは、モバイル端末のログインを検出し、
上記送受信機は、
上記プロセッサが上記モバイル端末の上記ログインを検出した場合に、オンラインであるｍ個の車載インフォテインメントの識別情報を上記モバイル端末に送信することであって、オンラインである上記ｍ個の車載インフォテインメントは、上記モバイル端末に結び付けられ、ｍは、１より大きい又はこれに等しい整数である、ことと、
上記モバイル端末によって送信された制御コマンドを受信することであって、上記制御コマンドは、アプリケーションを実行するようにｋ個の車載インフォテインメントを制御するために用いられ、上記ｋ個の車載インフォテインメントは、受信されたユーザ操作に従って、上記ｍ個の車載インフォテインメントの上記識別情報から上記モバイル端末によって決定された、対応するｋ個の車載インフォテインメントであり、ｋは、ｍより小さい又はこれに等しく、ｋは、１より大きい又はこれに等しい整数である、ことと、
上記制御コマンドを上記ｋ個の車載インフォテインメントに送信することと、
を実行する、
サーバ。
［項目９］
上記送受信機は、さらに、
上記モバイル端末によって送信された結び付け命令を受信することであって、上記結び付け命令は、上記モバイル端末の識別情報及びｎ個の車載インフォテインメントの識別情報を保持し、上記結び付け命令は、上記モバイル端末を上記ｎ個の車載インフォテインメントに結び付けるよう上記サーバに命令するために用いられ、ｎは、ｍより大きい又はこれに等しく、ｎは、１より大きい又はこれに等しい整数である、ことと、
上記ｎ個の車載インフォテインメントの上記識別情報に従って、結び付け確認要求を上記ｎ個の車載インフォテインメントに別個に送信することであって、上記結び付け確認要求は、上記ｎ個の車載インフォテインメントが上記モバイル端末に結び付けられるか否かを確認するために用いられる、ことと、
上記ｎ個の車載インフォテインメントによって送信された結び付け確認応答を受信することであって、上記ｎ個の車載インフォテインメントによって送信された上記結び付け確認応答は、上記結び付け確認要求に従って、上記ｎ個の車載インフォテインメントが上記モバイル端末に結び付けられるか否かを確認するための応答である、ことと、
を実行し、
上記プロセッサは、さらに、上記ｎ個の車載インフォテインメントによって送信された上記結び付け確認応答に従って、上記モバイル端末を上記ｍ個の車載インフォテインメントに結び付け、上記ｍ個の車載インフォテインメントによって送信された上記結び付け確認応答は、上記ｍ個の車載インフォテインメントが上記モバイル端末に結び付けられたことを確認するための応答である、
項目８に記載のサーバ。
［項目１０］
上記送受信機は、さらに、上記ｋ個の車載インフォテインメントが上記制御コマンドを実行した後で送信された実行結果情報を受信し、上記実行結果情報を上記モバイル端末に送信する、項目８又は９に記載のサーバ。
［項目１１］
プロセッサ及び送受信機を備えるモバイル端末であって、
上記プロセッサは、サーバにログインし、
上記送受信機は、
上記サーバがログインされた後で、上記サーバによって送信されたｍ個の車載インフォテインメントの識別情報を受信することであって、上記ｍ個の車載インフォテインメントは、上記モバイル端末に結び付けられ、ｍは、１より大きい又はこれに等しい整数である、ことと、
ユーザ操作を受信することであって、上記ユーザ操作は、上記ｍ個の車載インフォテインメントの上記識別情報から、対応するｋ個の車載インフォテインメントを決定するために用いられる、ことと、
を実行する、
モバイル端末。
［項目１２］
上記送受信機は、結び付け命令を上記サーバに送信し、上記結び付け命令は、上記モバイル端末の識別情報及びｎ個の車載インフォテインメントの識別情報を保持し、上記結び付け命令は、上記モバイル端末を上記ｎ個の車載インフォテインメントに結び付けるよう上記サーバに命令するために用いられ、ｎは、ｍより大きい又はこれに等しく、ｎは、１より大きい又はこれに等しい整数である、項目１１に記載のモバイル端末。
［項目１３］
上記送受信機は、さらに、上記サーバによって送信された結び付け完了通知を受信し、上記結び付け完了通知は、上記サーバが上記モバイル端末を上記ｍ個の車載インフォテインメントに結び付けた後で送信される、項目１２に記載のモバイル端末。
［項目１４］
上記送受信機は、さらに、上記サーバによって送信された実行結果情報であって、上記ｋ個の車載インフォテインメントが制御コマンドを実行した後で送信された実行結果情報を受信する、項目１１から１３のいずれか１項に記載のモバイル端末。
［項目１５］
車載インフォテインメントとデータを交換するための装置であって、
モバイル端末のログインが検出された場合に、オンラインであるｍ個の車載インフォテインメントの識別情報を上記モバイル端末に送信する送信モジュールであって、オンラインである上記ｍ個の車載インフォテインメントは、上記モバイル端末に結び付けられ、ｍは、１より大きい又はこれに等しい整数である、送信モジュールと、
上記モバイル端末によって送信された制御コマンドを受信する受信モジュールであって、上記制御コマンドは、アプリケーションを実行するようにｋ個の車載インフォテインメントを制御するために用いられ、上記ｋ個の車載インフォテインメントは、受信されたユーザ操作に従って、上記ｍ個の車載インフォテインメントの上記識別情報から上記モバイル端末によって決定された、対応するｋ個の車載インフォテインメントであり、ｋは、ｍより小さい又はこれに等しく、ｋは、１より大きい又はこれに等しい整数である、受信モジュールと、
を備え、
上記送信モジュールは、さらに、上記制御コマンドを上記ｋ個の車載インフォテインメントに送信する、
装置。
［項目１６］
上記装置は、結び付けモジュールをさらに備え、
上記受信モジュールは、さらに、上記モバイル端末によって送信された結び付け命令を受信し、上記結び付け命令は、上記モバイル端末の識別情報及びｎ個の車載インフォテインメントの識別情報を保持し、上記結び付け命令は、上記モバイル端末を上記ｎ個の車載インフォテインメントに結び付けるよう上記装置に命令するために用いられ、ｎは、ｍより大きい又はこれに等しく、ｎは、１より大きい又はこれに等しい整数であり、
上記送信モジュールは、さらに、上記ｎ個の車載インフォテインメントの上記識別情報に従って、結び付け確認要求を上記ｎ個の車載インフォテインメントに別個に送信し、上記結び付け確認要求は、上記ｎ個の車載インフォテインメントが上記モバイル端末に結び付けられるか否かを確認するために用いられ、
上記受信モジュールは、さらに、上記ｎ個の車載インフォテインメントによって送信された結び付け確認応答を受信し、上記ｎ個の車載インフォテインメントによって送信された上記結び付け確認応答は、上記結び付け確認要求に従って、上記ｎ個の車載インフォテインメントが上記モバイル端末に結び付けられるか否かを確認するための応答であり、
上記結び付けモジュールは、上記ｎ個の車載インフォテインメントによって送信された上記結び付け確認応答に従って、上記モバイル端末を上記ｍ個の車載インフォテインメントに結び付け、上記ｍ個の車載インフォテインメントによって送信された上記結び付け確認応答は、上記ｍ個の車載インフォテインメントが上記モバイル端末に結び付けられたことを確認するための応答である、
項目１５に記載の装置。
［項目１７］
上記受信モジュールは、さらに、上記ｋ個の車載インフォテインメントが上記制御コマンドを実行した後で送信された実行結果情報を受信し、
上記送信モジュールは、さらに、上記実行結果情報を上記モバイル端末に送信する、
項目１５又は１６に記載の装置。
［項目１８］
車載インフォテインメントとデータを交換するための装置であって、
サーバにログインするログインモジュールと、
受信モジュールであって、
上記サーバがログインされた後で、上記サーバによって送信されたｍ個の車載インフォテインメントの識別情報を受信することであって、上記ｍ個の車載インフォテインメントは、上記装置に結び付けられ、ｍは、１より大きい又はこれに等しい整数である、ことと、
ユーザ操作を受信することであって、上記ユーザ操作は、上記ｍ個の車載インフォテインメントの上記識別情報から、対応するｋ個の車載インフォテインメントを決定するために用いられる、ことと、
を実行する、受信モジュールと、
を備える装置。
［項目１９］
上記装置は、
結び付け命令を上記サーバに送信する送信モジュールをさらに備え、上記結び付け命令は、上記装置の識別情報及びｎ個の車載インフォテインメントの識別情報を保持し、上記結び付け命令は、上記装置を上記ｎ個の車載インフォテインメントに結び付けるよう上記サーバに命令するために用いられ、ｎは、ｍより大きい又はこれに等しく、ｎは、１より大きい又はこれに等しい整数である、
項目１８に記載の装置。
［項目２０］
上記受信モジュールは、さらに、上記サーバによって送信された結び付け完了通知を受信し、上記結び付け完了通知は、上記サーバが上記装置を上記ｍ個の車載インフォテインメントに結び付けた後で送信される、項目１９に記載の装置。
［項目２１］
上記受信モジュールは、さらに、上記サーバによって送信された実行結果情報であって、上記ｋ個の車載インフォテインメントが制御コマンドを実行した後で送信された実行結果情報を受信する、項目１８から２０のいずれか１項に記載の装置。
［項目２２］
項目１から７のいずれか１項に記載の方法をコンピュータに実行させるプログラム。
【図１−１】
0006448158.tif 000003
【図１−２】
0006448158.tif 000004
【図１−３】
0006448158.tif 000005
【図２】
0006448158.tif 000006
【図３】
0006448158.tif 000007
【図４−１】
0006448158.tif 000008
【図４−２】
0006448158.tif 000009
【図４−３】
0006448158.tif 000010
【図４−４】
0006448158.tif 000011
【図４−５】
0006448158.tif 000012
【図４−６】
0006448158.tif 000013
【図５】
0006448158.tif 000014
【図６】
0006448158.tif 000015
【図７】
0006448158.tif 000016
【図８】
0006448158.tif 000017